(57)【特許請求の範囲】
【請求項１】
通信ネットワークを介してユーザ端末と接続されるサーバを用い、複数のＬＥＤ素子を備えるＬＥＤ付き装着具の使用状況を管理するＬＥＤ付き装着具管理システムであって、
上記サーバが、
ＬＥＤ付き装着具情報を記録する装着具登録手段と、
ユーザ情報を記録するユーザ登録手段と、
ユーザ登録手段に登録されたユーザのユーザ端末から所定のＬＥＤ付き装着具の注文を受信する受注手段と、
受注手段が受信した注文に基づきユーザに送付されたＬＥＤ付き装着具の使用履歴をユーザ情報及びＬＥＤ付き装着具情報に関連付けて記録する使用履歴管理手段と
を備えるＬＥＤ付き装着具管理システム。
【請求項２】
上記ＬＥＤ付き装着具が、複数のＬＥＤ素子の発光により所定の広告情報を表示する請求項１に記載のＬＥＤ付き装着具管理システム。
【請求項３】
上記サーバが、
上記ＬＥＤ付き装着具が表示する表示データを作成する表示データ作成手段と、
この表示データをユーザ端末に送信する送信手段とを備え、
上記ＬＥＤ付き装着具が、
複数のＬＥＤ素子をドットマトリクス配列して構成される表示部と、
上記サーバから送信される表示データを入力する入力部と、
入力された表示データに対応する上記複数のＬＥＤ素子を発光駆動する発光駆動部と
を有する請求項１又は請求項２に記載のＬＥＤ付き装着具管理システム。
【請求項４】
上記表示データ作成手段が、上記所定の表示データの一部を構成する複数種の個別表示データを作成し、
上記送信手段が、複数のＬＥＤ付き装着具に対し、上記複数種の個別表示データをそれぞれ送信するよう構成し、
上記複数のＬＥＤ付き装着具がそれぞれ受信した複数種の個別表示データを表示することで、これらのＬＥＤ付き装着具がそれぞれ表示する情報を組み合わせて、まとまった一の情報が表示されるよう構成する請求項３に記載のＬＥＤ付き装着具管理システム。
【請求項５】
上記ユーザ端末が携帯端末であり、
上記ＬＥＤ付き装着具が上記携帯端末と通信可能に構成する通信手段を備え、
上記ＬＥＤ付き装着具とサーバとが、上記通信手段、ユーザ端末及び通信ネットワークを介して送受信可能に構成される請求項１から請求項４のいずれか１項に記載のＬＥＤ付き装着具管理システム。
【請求項６】
上記携帯端末が、自己の位置情報を取得する位置情報取得手段を備え、
上記サーバが、上記携帯端末から上記位置情報を受信する位置情報受信手段を備え、
上記使用履歴管理手段が、ＬＥＤ付き装着具の使用履歴として上記位置情報を記録する請求項５に記載のＬＥＤ付き装着具管理システム。
【請求項７】
上記ユーザ端末が、携帯端末であり、
上記ＬＥＤ付き装着具が、上記携帯端末と通信可能に構成する通信手段を備え、
上記ＬＥＤ付き装着具とサーバとが、上記通信手段、携帯端末及び通信ネットワークを介して送受信可能に構成され、
上記携帯端末が、自己の位置情報を取得する位置情報取得手段を備え、
上記サーバが、
上記携帯端末から上記位置情報を受信する位置情報受信手段と、
上記位置情報に基づいて互いに近くに存在する複数のＬＥＤ付き装着具を抽出する抽出手段と
を備え、
上記使用履歴管理手段が、ＬＥＤ付き装着具の使用履歴として上記位置情報を記録し、
上記送信手段が、上記複数種の個別表示データを、上記抽出手段によって抽出された複数のＬＥＤ付き装着具に対してそれぞれ送信する請求項４に記載のＬＥＤ付き装着具管理システム。
【請求項８】
上記ＬＥＤ付き装着具が、上記通信手段として上記携帯端末との間で信号を送受する非接触ＩＣチップを有する請求項５、請求項６又は請求項７に記載のＬＥＤ付き装着具管理システム。
【請求項９】
通信ネットワークを介して上記サーバと接続されるリーダ又はリーダライタをさらに有し、
上記ＬＥＤ付き装着具が、通信手段として上記リーダ又はリーダライタとの間で信号を送受する非接触ＩＣチップを有する請求項１から請求項４のいずれか１項に記載のＬＥＤ付き装着具管理システム。
【請求項１０】
上記ＬＥＤ付き装着具が、ＬＥＤの発光状況を感知して、少なくともＬＥＤ発光開始時及び発光終了時に関する使用履歴情報を生成する発光履歴生成手段を備え、
この発光履歴生成手段で生成した使用履歴情報を上記通信手段を介してサーバに送信する請求項５から請求項９のいずれか１項に記載のＬＥＤ付き装着具管理システム。
【請求項１１】
上記ＬＥＤ付き装着具が、
歩数計測手段と、
上記歩数計測手段によって計測される歩数データを記憶する歩数データ記憶手段と、
上記歩数データ記憶手段によって記憶される歩数データを上記通信手段によって通知する歩数データ通知手段とを備え、
上記使用履歴管理手段が、ＬＥＤ付き装着具の使用履歴情報として上記歩数データを上記ユーザ情報及びＬＥＤ付き装着具情報に関連付けて記録する請求項５から請求項１０のいずれか１項に記載のＬＥＤ付き装着具管理システム。
【請求項１２】
上記ＬＥＤ付き装着具が、ＬＥＤ発光電源としての発電装置を有する請求項１から請求項１１のいずれか１項に記載のＬＥＤ付き装着具管理システム。
【請求項１３】
上記携帯端末が、上記ＬＥＤ付き装着具を発光させるための電力供給手段を備える請求項５から請求項８のいずれか１項に記載のＬＥＤ付き装着具管理システム。
【請求項１４】
上記ＬＥＤ付き装着具が、少なくとも前面又は背面に複数のＬＥＤ素子を備えるベストである請求項１から請求項１３のいずれか１項に記載のＬＥＤ付き装着具管理システム。
【請求項１５】
上記サーバが、上記ＬＥＤ付き装着具の使用履歴に応じ、このユーザに報酬付与を行う報酬付与手段を有する請求項１から請求項１４のいずれか１項に記載のＬＥＤ付き装着具管理システム。
【請求項１６】
上記サーバが、上記広告情報の広告依頼主に対し、この広告情報を表示するＬＥＤ付き装着具の使用履歴に応じて課金する請求項２に記載のＬＥＤ付き装着具管理システム。
【請求項１７】
上記ＬＥＤ付き装着具が、自転車の無灯火対策用装置である請求項１から請求項１６のいずれか１項に記載のＬＥＤ付き装着具管理システム。
【請求項１８】
上記ＬＥＤ付き装着具が、ＬＥＤの電源として自転車に備える電源を用いる請求項１７に記載のＬＥＤ付き装着具管理システム。
【請求項１９】
通信ネットワークを介してユーザ端末と接続されるサーバを用い、複数のＬＥＤ素子を備えるＬＥＤ付き装着具の使用状況を管理するＬＥＤ付き装着具管理方法であって、
上記サーバが、
ＬＥＤ付き装着具情報を記録する装着具登録ステップと、
ユーザ情報を記録するユーザ登録ステップと、
このユーザ登録ステップに登録されたユーザのユーザ端末から所定のＬＥＤ付き装着具の注文を受信する受注ステップと、
受注ステップが受信した注文に基づきユーザに送付されたＬＥＤ付き装着具の使用履歴をユーザ関連情報及びＬＥＤ付き装着具情報に関連付けて記録する使用履歴管理ステップと
を備えるＬＥＤ付き装着具管理方法。
【発明の詳細な説明】
【技術分野】
【０００１】
本発明は、ＬＥＤ付き装着具管理システム及び管理方法並びにＬＥＤ付き装着具に関する。
【背景技術】
【０００２】
ＬＥＤ（発光ダイオード）は、低消費電力化、長寿命化等の特性を生かし、ＬＥＤパネルやＬＥＤ付き衣類等のＬＥＤ付き装着具として利用されている。かかるＬＥＤ付き装着具としては、例えば、前後方向に発光する発光部材と左右方向に発光する発光部材とを備える発光素子付き衣服（特開２００４−３０８０５０号公報参照）、ツバの前方先端に複数のＬＥＤ素子を取り付けたライト付帽子（特開２００８−１４６５７８号公報参照）、衣服の前面又は背面に広告用パネルを着脱自在に装着することができる情報担時用衣類セット（特開２００７−２１２９０６号公報参照）等が発案されている。
【０００３】
上記従来のＬＥＤ付き装着具は、照明ツール、広告宣伝ツールとして有用であることに加え、自転車の無灯火対策や歩行者の視認性向上対策としても有効であり、夜間等の暗がりにおける事故の発生を効果的に抑制することができる。
【０００４】
しかし、このようなＬＥＤ付き装着具は、上述のように照明用、広告用、夜間の視認性向上用などとして使用できるが、かかるＬＥＤ付き装着具が普及し、その所有者が使用しない限り広告宣伝効果等を上げることはできない。
【０００５】
そのため、このようなＬＥＤ付き装着具を普及させるシステム及び方策が必要であり、かかるシステムには配布後のＬＥＤ付き装着具の使用状況を管理することによって、このＬＥＤ付き装着具の所有者が実際に広告宣伝主体として行動しているか否かを監視することが重要となるが、現在のところかかるＬＥＤ付き装着具を普及させるシステムや、ＬＥＤ付き装着具の使用状況を管理することができるシステムは存在していない。
【先行技術文献】
【特許文献】
【０００６】
【特許文献１】特開２００４−３０８０５０号公報
【特許文献２】特開２００８−１４６５７８号公報
【発明の概要】
【発明が解決しようとする課題】
【０００７】
本発明は、このような事情に鑑みてなされたものであり、夜間等の暗がりにおいて優れた情報発信効果が得られるＬＥＤ付き装着具を配布し、かつかかるＬＥＤ付き装着具の使用状況を適切に管理することができるＬＥＤ付き装着具管理システム及び管理方法、並びに優れた情報発信効果を奏するＬＥＤ付き装着具の提供を目的とするものである。
【課題を解決するための手段】
【０００８】
上記課題を解決するためになされた発明は、
通信ネットワークを介してユーザ端末と接続されるサーバを用い、複数のＬＥＤ素子を備えるＬＥＤ付き装着具の使用状況を管理するＬＥＤ付き装着具管理システムであって、
上記サーバが、
ＬＥＤ付き装着具情報を記録する装着具登録手段と、
ユーザ情報を記録するユーザ登録手段と、
ユーザ登録手段に登録されたユーザのユーザ端末から所定のＬＥＤ付き装着具の注文を受信する受注手段と、
受注手段が受信した注文に基づきユーザに送付されたＬＥＤ付き装着具の使用履歴をユーザ情報及びＬＥＤ付き装着具情報に関連付けて記録する使用履歴管理手段と
を備えるＬＥＤ付き装着具管理システムである。
【０００９】
当該ＬＥＤ付き装着具管理システムは、ＬＥＤ付き装着具を、所望するユーザからの注文に応じてこのユーザに配布するので、配布を受けたユーザによってＬＥＤ付き装着具が使用される蓋然性が高い。
【００１０】
また、当該ＬＥＤ付き装着具管理システムは、配布後のＬＥＤ付き装着具の使用履歴をサーバが記録することにより、このＬＥＤ付き装着具が実際に使用されているか否かを遠隔地から適切に管理することができる。
【００１１】
上記ＬＥＤ付き装着具が、複数のＬＥＤ素子の発光により所定の広告情報を表示するとよい。これにより、本発明で使用されるＬＥＤ付き装着具は、夜間等の暗がりにおいて、特に優れた広告宣伝効果を得ることができる。
【００１２】
上記サーバが、上記ＬＥＤ付き装着具が表示する表示データを作成する表示データ作成手段と、この表示データをユーザ端末に送信する送信手段とを備え、上記ＬＥＤ付き装着具が、複数のＬＥＤ素子をドットマトリクス配列して構成される表示部と、上記サーバから送信される表示データを入力する入力部と、入力された表示データに対応する上記複数のＬＥＤ素子を発光駆動する発光駆動部とを有するとよい。これにより、サーバで作成された任意の情報をＬＥＤ付き装着具の表示部に表示させることができる。従って、当該ＬＥＤ付き装着具管理システムは、遠隔地から表示データを自由に決定、変更等することにより、期間、地域等に応じた情報を表示することができる。当該ＬＥＤ付き装着具管理システムによれば、情報に応じた複数のＬＥＤ付き装着具を用意することが不要となり、ＬＥＤ付き装着具の管理容易性を格段に高めることができる。
【００１３】
上記表示データ作成手段が、上記所定の表示データの一部を構成する複数種の個別表示データを作成し、上記送信手段が、複数のＬＥＤ付き装着具に対し、上記複数種の個別表示データをそれぞれ送信するよう構成し、上記複数のＬＥＤ付き装着具がそれぞれ受信した複数種の個別表示データを表示することで、これらのＬＥＤ付き装着具がそれぞれ表示する情報を組み合わせて、まとまった一の情報が表示されるよう構成するとよい。これにより、情報閲覧者側における探索意欲を向上させることができる。
【００１４】
上記ユーザ端末が携帯端末であり、上記ＬＥＤ付き装着具が上記携帯端末と通信可能に構成する通信手段を備え、上記ＬＥＤ付き装着具とサーバとが、上記通信手段、ユーザ端末及び通信ネットワークを介して送受信可能に構成されるとよい。これにより、サーバは、ＬＥＤ付き装着具の使用履歴を、携帯端末から容易に取得することができる。従って、当該ＬＥＤ付き装着具管理システムは、ＬＥＤ付き装着具の使用履歴を容易かつ確実に管理することができる。
【００１５】
上記携帯端末が、自己の位置情報を取得する位置情報取得手段を備え、上記サーバが、上記携帯端末から上記位置情報を受信する位置情報受信手段を備え、上記使用履歴管理手段が、ＬＥＤ付き装着具の使用履歴として上記位置情報を記録するとよい。これにより、ＬＥＤ付き装着具の使用場所や移動距離等を加味した使用履歴を管理することができる。その結果、当該ＬＥＤ付き装着具管理システムは、ユーザによるＬＥＤ付き装着具の使用状況を適切に管理することができる。
【００１６】
上記ユーザ端末が、携帯端末であり、上記ＬＥＤ付き装着具が、上記携帯端末と通信可能に構成する通信手段を備え、上記ＬＥＤ付き装着具とサーバとが、上記通信手段、携帯端末及び通信ネットワークを介して送受信可能に構成され、上記携帯端末が、自己の位置情報を取得する位置情報取得手段を備え、上記サーバが、上記携帯端末から上記位置情報を受信する位置情報受信手段と、上記位置情報に基づいて互いに近くに存在する複数のＬＥＤ付き装着具を抽出する抽出手段とを備え、上記使用履歴管理手段が、ＬＥＤ付き装着具の使用履歴として上記位置情報を記録し、上記送信手段が、上記複数種の個別表示データを、上記抽出手段によって抽出された複数のＬＥＤ付き装着具に対してそれぞれ送信するとよい。これにより、情報閲覧者側の探索意欲をさらに向上させることができる。また、当該ＬＥＤ付き装着具管理システムは、複数種の個別表示データを表示するＬＥＤ付き装着具の装着ユーザが並んで移動する等により、情報の注目度を格段に向上させることができる。さらに、当該ＬＥＤ付き装着具管理システムは、ＬＥＤ付き装着具を装着するユーザに対しても、このＬＥＤ付き装着具を装着するインセンティブを向上させることができる。
【００１７】
上記ＬＥＤ付き装着具が、上記通信手段として上記携帯端末との間で信号を送受する非接触ＩＣチップを有するとよい。これにより、携帯端末を介してＬＥＤ付き装着具の使用履歴を容易に管理することができる。従って、当該ＬＥＤ付き装着具管理システムは、ＬＥＤ付き装着具の使用履歴の管理容易性をさらに向上させることができる。
【００１８】
通信ネットワークを介して上記サーバと接続されるリーダ又はリーダライタをさらに有し、上記ＬＥＤ付き装着具が、通信手段として上記リーダ又はリーダライタとの間で信号を送受する非接触ＩＣチップを有するとよい。これにより、ＬＥＤ付き装着具とリーダ又はリーダライタの非接触ＩＣチップとの間で行われる近距離無線通信に基づき、このＬＥＤ付き装着具の使用履歴を容易に管理することができる。従って、当該ＬＥＤ付き装着具管理システムは、このような構成によっても、ＬＥＤ付き装着具の使用履歴の管理容易性を向上させることができる。
【００１９】
上記ＬＥＤ付き装着具が、ＬＥＤの発光状況を感知して、少なくともＬＥＤ発光開始時及び発光終了時に関する使用履歴情報を生成する発光履歴生成手段を備え、この発光履歴生成手段で生成した使用履歴情報を上記通信手段を介してサーバに送信するとよい。これにより、ＬＥＤ付き装着具の発光時間に基づいた使用履歴を管理することができる。
【００２０】
上記ＬＥＤ付き装着具が、歩数計測手段と、上記歩数計測手段によって計測される歩数データを記憶する歩数データ記憶手段と、上記歩数データ記憶手段によって記憶される歩数データを上記通信手段によって通知する歩数データ通知手段とを備え、上記使用履歴管理手段が、ＬＥＤ付き装着具の使用履歴情報として上記歩数データを上記ユーザ情報及びＬＥＤ付き装着具情報に関連付けて記録するとよい。これにより、ユーザがＬＥＤ付き装着具を装着して歩いた歩数に基づいた使用履歴を管理することができる。
【００２１】
上記ＬＥＤ付き装着具が、ＬＥＤ発光電源としての発電装置を有するとよい。これにより、ユーザ側においてＬＥＤ付き装着具を発光させるための電池等を用意することが不要となるので、ユーザ側にかかるコストを削減することができ、ＬＥＤ付き装着具の装着率を高めることができる。
【００２２】
上記携帯端末が、上記ＬＥＤ付き装着具を発光させるための電力供給手段を備えるとよい。これにより、ＬＥＤ付き装着具用に特別の電源を設けることが不要となり、ひいてはＬＥＤ付き装着具の軽量化、低コスト化等を実現することができる。
【００２３】
上記ＬＥＤ付き装着具が、少なくとも前面又は背面に複数のＬＥＤ素子を備えるベストであるとよい。これにより、ユーザは、このＬＥＤ付き装着具を容易に着脱することができる。また、このようなＬＥＤ付き装着具は、専用のアルコール等により容易に洗浄することができる。
【００２４】
上記サーバが、上記ＬＥＤ付き装着具の使用履歴に応じ、このユーザに報酬付与を行う報酬付与手段を有するとよい。これにより、ＬＥＤ付き装着具の使用ユーザに対し、配布されたＬＥＤ付き装着具を用いて主体的に広告宣伝を行うインセンティブを与えることができる。
【００２５】
上記サーバが、上記広告情報の広告依頼主に対し、この広告情報を表示するＬＥＤ付き装着具の使用履歴に応じて課金するとよい。これにより、広告宣伝効果に対応した適切な課金を行うことができる。
【００２６】
上記ＬＥＤ付き装着具が、自転車の無灯火対策用装置であるとよい。当該ＬＥＤ付き装着具管理システムは、ＬＥＤ付き装着具の使用を欲するユーザに対してこのＬＥＤ付き装着具を配布するものであるので、このＬＥＤ付き装着具を自転車の無灯火対策用として用いることにより、夜間の自転車事故を効果的に低減させることができる。
【００２７】
上記ＬＥＤ付き装着具が、ＬＥＤの電源として自転車に備える電源を用いるとよい。これにより、ＬＥＤ付き装着具の電源を効率的に獲得することができる。
【００２８】
また、上記課題を解決するためになされた別の発明は、
通信ネットワークを介してユーザ端末と接続されるサーバを用い、複数のＬＥＤ素子を備えるＬＥＤ付き装着具の使用状況を管理するＬＥＤ付き装着具管理方法であって、
上記サーバが、
ＬＥＤ付き装着具情報を記録する装着具登録ステップと、
ユーザ情報を記録するユーザ登録ステップと、
このユーザ登録ステップに登録されたユーザのユーザ端末から所定のＬＥＤ付き装着具の注文を受信する受注ステップと、
受注ステップが受信した注文に基づきユーザに送付されたＬＥＤ付き装着具の使用履歴をユーザ関連情報及びＬＥＤ付き装着具情報に関連付けて記録する使用履歴管理ステップと
を備えるＬＥＤ付き装着具管理方法である。
【００２９】
当該ＬＥＤ付き装着具管理方法は、ＬＥＤ付き装着具を、所望するユーザからの注文に応じてこのユーザに配布するので、配布を受けたユーザによってＬＥＤ付き装着具が使用される蓋然性が高い。
【００３０】
また、当該ＬＥＤ付き装着具管理方法は、配布後のＬＥＤ付き装着具の使用履歴をサーバが記録することにより、このＬＥＤ付き装着具が実際に使用されているか否かを遠隔地から適切に管理することができる。
【発明の効果】
【００３３】
以上説明したように、本発明のＬＥＤ付き装着具は、夜間等の暗がりにおいて優れた情報発信効果を上げることができ、また本発明のＬＥＤ付き装着具管理システム及び管理方法は、優れた情報発信効果を奏するＬＥＤ付き装着具を、このＬＥＤ付き装着具を所望するユーザに配布することができ、かつこのＬＥＤ付き装着具のユーザによる使用状況を適切に管理することができる。
【図面の簡単な説明】
【００３４】
【図１】本発明の一実施形態に係るＬＥＤ付き装着具管理システムを示す概略構成図である。
【図２】図１のＬＥＤ付き装着具管理システムにおける動作手順を示すフロー図である。
【図３】図１のＬＥＤ付き装着具管理システム１とは異なる形態に係るＬＥＤ付き装着具管理システムを示す概略構成図である。
【図４】図３のＬＥＤ付き装着具管理システムにおけるＬＥＤ付き装着具の制御構造を示す概略ブロック図である。
【図５】図３のＬＥＤ付き装着具管理システムにおける広告情報表示手順を示すフロー図である。
【図６】図３のＬＥＤ付き装着具管理システムにおける動作手順を示すフロー図である。
【図７】図１、図３のＬＥＤ付き装着具管理システムとは異なる形態に係るＬＥＤ付き装着具管理システムを示す概略構成図である。
【図８】図７のＬＥＤ付き装着具管理システムにおけるＬＥＤ付き装着具の制御構造を示す概略ブロック図である。
【図９】図７のＬＥＤ付き装着具管理システムにおける動作手順を示すフロー図である。
【図１０】図１、図３及び図７のＬＥＤ付き装着具管理システムとは異なる形態に係るＬＥＤ付き装着具管理システムを示す概略構成図である。
【図１１】図１０のＬＥＤ付き装着具管理システムにおける動作手順を示すフロー図である。
【発明を実施するための形態】
【００３５】
以下、適宜図面を参照しつつ、本発明のＬＥＤ付き装着具管理システムの実施の形態を詳説する。
【００３６】
図１のＬＥＤ付き装着具管理システム１は、ネットワーク２と、サーバ３と、ユーザ端末４と、ＬＥＤ付き装着具５と、リーダ６とを有している。ＬＥＤ付き装着具管理システム１では、実際には、ユーザ端末４、ＬＥＤ付き装着具５及びリーダ６は複数存在している。しかし、図１では、煩雑さ回避のため、ユーザ端末４、ＬＥＤ付き装着具５及びリーダ６は各１個として図示する。
【００３７】
ネットワーク２は、典型的にはインターネットである。ネットワーク２は、サーバ３とユーザ端末４、及びサーバ３とリーダ６とを接続可能に構成されている。ネットワーク２は、サーバ３とユーザ端末４、及びサーバ３とリーダ６と直接接続されていてもよく、また所定の通信基地局を介して接続されていてもよい。
【００３８】
サーバ３は、通信部１１と、制御部１２と、記憶部１３とを有している。サーバ３は、一つのコンピュータによって構成されてもよく、二つ以上のコンピュータによって構成されてもよい。また、サーバ３は、キーボード等の入力装置を有していてもよい。
【００３９】
通信部１１は、ネットワーク２を介して、ユーザ端末４及びリーダ６とのネットワーク通信を行う。通信部１１は、ユーザ端末４及びリーダ６から受信した情報を制御部１２に渡す。また、通信部１１は、制御部１２から受け取った情報をユーザ端末４に送信する。
【００４０】
制御部１２は、登録手段１４と、受注手段１５と、使用履歴管理手段１６と、課金報酬付与手段１７とを有している。
【００４１】
登録手段１４は、装着具登録手段とユーザ登録手段とを有している（いずれも図示せず）。
【００４２】
装着具登録手段は、入力装置等の操作に基づいて、ＬＥＤ付き装着具５に固有の識別情報（ＬＥＤ付き装着具情報）を記憶部１３に格納する。ＬＥＤ付き装着具５に固有の識別情報としては、例えば、ＬＥＤ付き装着具５に固有のＩＤを挙げることができる。かかるＬＥＤ付き装着具５に固有のＩＤとしては、ＬＥＤ付き装着具５が具備する非接触ＩＣチップの非接触ＩＣチップＩＤ等を挙げることができる。また、ＬＥＤ付き装着具５に固有の識別情報としては、ＬＥＤ付き装着具５をユーザに発送する際の発送番号等を使用することもできる。
【００４３】
装着具登録手段は、必要に応じて、ＬＥＤ付き装着具５の広告依頼主についての登録を行う。装着具登録手段は、ＬＥＤ付き装着具５の広告依頼主を識別するための情報（広告依頼主情報）として、この広告依頼主に固有のＩＤ、広告依頼主の住所、氏名、郵便番号、電話番号、メールアドレス等を関連付けて記憶部１３に格納する。さらに、装着具登録手段は、この広告依頼主に対する課金用の口座番号、クレジットカード番号等をこの広告依頼主を識別するための情報と関連付けて記憶部１３に格納する。装着具登録手段は、ＬＥＤ付き装着具管理システム１がＬＥＤ付き装着具５の広告依頼主に対して課金又は報酬付与を行う場合は、広告依頼主について登録を行う。装着具登録手段は、ＬＥＤ付き装着具５に固有の識別情報と、このＬＥＤ付き装着具５の広告依頼主を識別するための情報とを関連付けて記憶部１３に格納する。
【００４４】
ユーザ登録手段は、ユーザ端末４からの要求を受けてユーザの登録を行う。ユーザ登録手段は、ユーザ端末４から登録要求を行ったユーザを識別するための情報（ユーザ情報）として、このユーザの住所、氏名、郵便番号、電話番号、メールアドレス等を関連付けて記憶部１３に格納する。また、ユーザ登録手段は、ユーザ端末４のユーザに対する入金用の口座番号等、このユーザに対して報酬を付与するための情報をユーザを識別するための情報と関連付けて記憶部１３に格納する。加えて、ユーザ登録手段は、ユーザの登録終了後、ユーザ端末４に対してログインＩＤ及びパスワードを通知する。ログインＩＤは、ユーザを識別するためのユーザＩＤとして、ユーザの住所等と関連付けて記憶部１３に格納される。
【００４５】
受注手段１５は、ユーザ端末４を介して、ユーザ登録を行ったユーザから所定のＬＥＤ付き装着具５の注文を受信する。受注手段１５は、ユーザ端末４からＬＥＤ付き装着具５の配布を受けたい旨が通知されると、記憶部１３に格納されている在庫データに基づきＬＥＤ付き装着具５の在庫状況を確認する。受注手段１５は、在庫確認の結果、ＬＥＤ付き装着具５の在庫が存在すると判断した場合、ユーザ端末４に受注通知を行い、同時にＬＥＤ付き装着具５の配布手続にかかる旨を通知する。また、受注手段１５は、ＬＥＤ付き装着具５を注文したユーザを識別するための情報を、このユーザに配布するＬＥＤ付き装着具５の識別情報及びこのＬＥＤ付き装着具５の広告依頼主を識別するための情報と関連付けて記憶部１３に格納する。
【００４６】
使用履歴管理手段１６は、受注手段１５が受信した注文に基づきユーザに送付されたＬＥＤ付き装着具５の使用履歴を、ユーザ情報（本実施形態ではユーザＩＤ）及びＬＥＤ付き装着具５情報（本実施形態では非接触ＩＣチップＩＤ）に関連付けて記録する。使用履歴管理手段１６は、リーダ６との通信により、ＬＥＤ付き装着具５の非接触ＩＣチップが有する非接触ＩＣチップＩＤを受信する。使用履歴管理手段１６は、受信した非接触ＩＣチップＩＤを記憶部１３に格納する。一方、記憶部１３には、このＬＥＤ付き装着具５を配布されたユーザＩＤが、このＬＥＤ付き装着具５の非接触ＩＣチップＩＤと関連付けて記憶されている。その結果、使用履歴管理手段１６は、ＬＥＤ付き装着具５の非接触ＩＣチップＩＤを記憶部１３に格納することによって、ＬＥＤ付き装着具５の使用履歴をＬＥＤ付き装着具５の配布を受けたユーザと関連付けて管理することができる。なお、使用履歴管理手段１６は、ＬＥＤ付き装着具５の使用履歴として、ＬＥＤ付き装着具５が有する非接触ＩＣチップＩＤとともに、近距離無線通信を行ったリーダ６の識別情報、近距離無線通信を行った時間情報、位置情報等を関連付けて記憶部１３に格納してもよい。また、使用履歴管理手段１６は、ＬＥＤ付き装着具５の非接触ＩＣチップＩＤを管理する代りに、ＬＥＤ付き装着具５の使用履歴としてＬＥＤ付き装着具５が配布された後の経過時間を記憶部１３に記録してもよい。
【００４７】
課金報酬付与手段１７は、使用履歴管理手段１６の処理に基づいて記憶部１３に格納されるＬＥＤ付き装着具５の使用履歴に応じた課金及び／又は報酬付与処理を行う。課金報酬付与手段１７は、ＬＥＤ付き装着具５の広告依頼主に対して課金する一方、ＬＥＤ付き装着具５を配布されたユーザに対して使用実績に応じた報酬を付与する。具体的には、課金報酬付与手段１７は、まず、記憶部１３に格納されているＬＥＤ付き装着具５の使用履歴を確認する。次に、課金報酬付与手段１７は、ＬＥＤ付き装着具５の広告依頼主に対して、この使用履歴（本実施形態においては、非接触ＩＣチップＩＤの受信回数）を基に、予め決められたレートに応じた課金処理手続を行う。さらに、課金報酬付与手段１７は、ＬＥＤ付き装着具５の広告依頼主から徴収した金員について、所定の分配レートに応じた分配処理手続をユーザに対して行う。なお、記憶部１３が、ＬＥＤ付き装着具５の非接触ＩＣチップＩＤとともに、近距離無線通信を行ったリーダ６の識別情報や近距離無線通信を行った時間情報、位置情報等を関連付けて保存している場合、課金報酬付与手段１７は、非接触ＩＣチップＩＤの受信回数にリーダ６の識別情報や近距離無線通信を行った時間情報、位置情報等を加味したレート又は分配レートに応じた課金処理及び／又は報酬付与処理を行ってもよい。
【００４８】
記憶部１３は、制御部１２が実行する動作プログラムや、この動作プログラムの処理に必要となるデータ等を記憶する。記憶部１３は、登録されたユーザの住所、氏名、口座番号、ＩＤ等をこのユーザを識別するための情報として関連付けて保存する。また、記憶部１３は、ＬＥＤ付き装着具５の広告依頼主の住所、氏名、口座番号、ＩＤ等をこの広告依頼主を識別するための情報として関連付けて保存する。
【００４９】
記憶部１３は、ＬＥＤ付き装着具５の識別情報と、このＬＥＤ付き装着具５の広告依頼主を識別するための情報とを関連付けて保存する。また、記憶部１３は、ＬＥＤ付き装着具５の識別情報及び広告依頼主を識別するための情報と、ＬＥＤ付き装着具５を配布されるユーザを識別するための情報とを関連付けて保存する。さらに、記憶部１３は、ＬＥＤ付き装着具５の在庫を種類別に記憶する。
【００５０】
ユーザ端末４は、ネットワーク２を介した通信機能を有する一般向けのパーソナルコンピュータや携帯電話機等である。ユーザ端末５は、ネットワーク２を介してサーバ３とネットワーク通信をするための通信部と、ユーザ登録時やＬＥＤ付き装着具５発注時等に必要な事項を入力するための入力部と、サーバ３により配信される情報等を閲覧することのできる表示部等を有している（いずれも図示せず）。
【００５１】
ＬＥＤ付き装着具５は、複数のＬＥＤ素子が発光することで所定の広告情報を表示することができる装着具である。ＬＥＤ付き装着具５は、複数のＬＥＤ素子と電気的に接続される電源（図示せず）を有している。ＬＥＤ付き装着具５は、この電源から供給される電気エネルギーを用いて複数のＬＥＤ素子を発光させる。ＬＥＤ付き装着具５は、ベストであり、背面に取り付けられた複数のＬＥＤ素子が所定の広告情報（図１においてはコンタクトレンズに関する広告情報）を表示するように配設されている。ＬＥＤ付き装着具５は、これらの複数のＬＥＤ素子が発光することにより、特に夜間等の暗がりにおいて優れた広告宣伝効果を奏することができる。なお、ＬＥＤ付き装着具５は、これらの複数のＬＥＤ素子に対応したデザインをベストの背面にプリント印刷すること等により、複数のＬＥＤ素子が発光していない状態にあっても所定の広告情報を表示できるように構成されていてもよい。また、ＬＥＤ付き装着具５は、所定の広告情報を表示する複数のＬＥＤ素子がベストの前面に取り付けられていてもよい。ＬＥＤ付き装着具５は、固有のＩＤを具備する非接触ＩＣチップ及びこの非接触ＩＣチップの通信に用いられる近距離無線通信部を有している（いずれも図示せず）。
【００５２】
リーダ６は、直接又は間接にネットワーク２を介してサーバ３とネットワーク通信をするための通信部と、ＬＥＤ付き装着具５が有する非接触ＩＣチップとの間で近距離無線通信を行うための近距離無線通信部とを有している（いずれも図示せず）。リーダ６は、ネットワーク２を介して直接サーバ３と接続されてもよく、またホストコンピュータ（図示せず）等を経由してネットワーク２を介してサーバ３と接続されてもよい。リーダ６は、コンビニ等の所定の場所に備えられる他、ユーザ端末４に接続されて備えられてもよい。また、リーダ６は、所定のライタ機能を有するリーダライタであってもよい。
【００５３】
次に、図２を参照して、当該ＬＥＤ付き装着具管理システム１の動作手順を説明する。
【００５４】
装着具登録ステップ（ＳＴＰ１）は、ＬＥＤ付き装着具５を識別するための情報を登録するステップである。ＳＴＰ１は、装着具登録手段の処理により行われる。装着具登録手段は、ＬＥＤ付き装着具５の識別情報として、ＬＥＤ付き装着具５の有する非接触ＩＣチップＩＤを記憶部１３に格納する。ＳＴＰ１が行われる時期は特に限定されず、例えば、サーバ３が、広告依頼主からＬＥＤ付き装着具５の登録依頼を受けた際に行われてもよく、また、ＬＥＤ付き装着具５の使用を希望するユーザから受注を受けた際に行われてもよい。
【００５５】
ユーザ登録ステップ（ＳＴＰ２）は、未登録のユーザを登録するステップである。ＳＴＰ２は、サーバ３に登録されていないユーザであって、ＬＥＤ付き装着具５の発注を希望するユーザの操作に基づいて行われる。ＳＴＰ２は、主にユーザ登録手段の処理によって行われる。ＬＥＤ付き装着具５の発注を希望するユーザは、ユーザ端末４を用いてサーバ３にアクセス要求する。サーバ３は、かかる要求を受けて、ユーザ端末４の表示部に、既にユーザ登録済のユーザのためのログイン受付部、及び未登録ユーザを登録するためのユーザ登録受付部を表示する。未登録ユーザは、ユーザ登録受付部を介してサーバ３から要求されるユーザを識別するための所定の情報を入力する。サーバ３は、これらの識別情報をユーザ登録手段の処理を経て記憶部１３に格納し、ユーザ登録を行う。ＳＴＰ２で入力する識別情報としては、一般的には、ユーザの住所、氏名、郵便番号、電話番号、メールアドレス、入金用の口座番号等を挙げることができる。また、ユーザ登録手段は、ユーザ登録を行ったユーザに対して、ユーザＩＤ（ログインＩＤ）及びパスワードを付与する。ユーザ登録手段は、ユーザＩＤ及びパスワードを、ユーザから入力された情報と関連付けて、ユーザの識別情報として記憶部１３に保存する。
【００５６】
なお、サーバ３に既に登録されているユーザは、ユーザＩＤ、パスワード等、ログイン受付部において要求される所定の情報を入力することにより、サーバ３にアクセスすることができる。
【００５７】
受注ステップ（ＳＴＰ３）は、ユーザ端末４から所定のＬＥＤ付き装着具５の注文を受信するステップである。ＳＴＰ３は、一般的には、ＳＴＰ２のユーザ登録後や、ログイン後にユーザ端末４の表示部に表示される画面を介して行われる。ＳＴＰ３では、まず、受注手段１５の処理により、予めサーバ３が記憶部１３に保存している複数種のＬＥＤ付き装着具５をユーザ端末４の表示部に表示する。ユーザ端末４のユーザは、これらのＬＥＤ付き装着具５を閲覧し、発注したいＬＥＤ付き装着具５が存在していた場合、このＬＥＤ付き装着具５を指定してサーバ３に発注する。サーバ３は、この発注を受けて、受注手段１５の処理により記憶部１３を参照し、このＬＥＤ付き装着具５の在庫を確認する。受注手段１５は、在庫が存在していた場合には、注文を受け付けた旨をユーザ端末４に通知する。また、サーバ３は、受注手段１５の処理により、ユーザに配布するＬＥＤ付き装着具５の識別情報（本実施形態では、非接触ＩＣチップＩＤ）及び広告依頼主の識別情報（本実施形態では、広告依頼主に固有のＩＤ）と、このＬＥＤ付き装着具５を受け取るユーザの識別情報（本実施形態では、ユーザＩＤ）とを関連付けて記憶部１３に格納する。なお、ＬＥＤ付き装着具５の識別情報及び広告依頼主の識別情報は、装着具登録手段の処理により関連付けられる。ＬＥＤ付き装着具５の識別情報及び広告依頼主の識別情報は、ＳＴＰ３で関連付けられてもよく、またＳＴＰ１で関連付けられてもよい。互いに関連付けられたこれらの識別情報は、ＬＥＤ付き装着具５の使用履歴を取るときに、ＬＥＤ付き装着具５の使用ユーザを特定するための情報として用いることができる。また、これらの識別情報は、課金及び報酬付与を行うときに、課金対象者及び報酬付与対象者を特定するための情報としても用いることができる。
【００５８】
一方、受注手段１５は、発注に係るＬＥＤ付き装着具５の在庫が存在していない場合、在庫が存在していない旨をユーザ端末４に通知する。また、受注手段１５は、ユーザ端末４に対して、在庫が入荷次第連絡が欲しいか否かの問い合わせを行う。受注手段１５は、連絡が欲しい旨の通知を受けた場合には、この注文に係るＬＥＤ付き装着具５が入荷した際に、このユーザにＥメール等で入荷の通知を行う。
【００５９】
なお、ＳＴＰ２及びＳＴＰ３に関しては、ユーザにより受け取りを希望する所定のＬＥＤ付き装着具５が指定された後に、ユーザ登録又はログインを行うようにしてもよい。
【００６０】
また、サーバ３が記憶部１３に保存している複数種のＬＥＤ付き装着具５は、一般的には、複数の企業が自社の広告用として配布を望む装着具である。しかし、ＬＥＤ付き装着具５の広告依頼主は、企業に限られるものではなく、個人であってもよく、広告内容も、例えば、自身やペット等のアピールであってもよく、また捜し物等の内容を表示するものであってもよい。
【００６１】
使用履歴管理ステップ（ＳＴＰ４）は、ＳＴＰ３に基づいて送付されたＬＥＤ付き装着具５の使用履歴をＬＥＤ付き装着具５に固有の識別情報及びユーザを識別するための情報と関連付けて記録するステップである。ＳＴＰ４は、ＬＥＤ付き装着具５が有する非接触ＩＣチップ及びリーダ６の近距離無線通信に基づいて、リーダ６から送られる非接触ＩＣチップＩＤをサーバ３が記録することにより行われる。具体的には、ＳＴＰ４では、まず、ＬＥＤ付き装着具５の非接触ＩＣチップとリーダ６とを近接させる。次に、ＬＥＤ付き装着具５の非接触ＩＣチップは、リーダ６から輻射される電磁波を受信し、ＬＥＤ付き装着具５に固有の非接触ＩＣチップＩＤをリーダ６に送信する。ＬＥＤ付き装着具５の非接触ＩＣチップとリーダ６との近接無線通信は、リーダ６が所定のスイッチを有する場合はこのスイッチが入れられることにより行われてもよく、またスイッチのオンオフとは無関係に行われてもよい。リーダ６は、この近距離無線通信に基づき非接触ＩＣチップＩＤを受信すると、この非接触ＩＣチップＩＤをサーバ３に送信する。サーバ３は、リーダ６からこの非接触ＩＣチップＩＤを受け取ると、使用履歴管理手段１７の処理により、ＬＥＤ付き装着具５の使用履歴として記憶部１３に格納する。かかる使用履歴の記録は、非接触ＩＣチップＩＤがリーダ６から送られる毎に、非接触ＩＣチップＩＤを受信したことを記憶部１３が記憶するものであってもよく、またリーダ６がリーダ６に固有のＩＤを有している場合は、近距離無線通信を行ったリーダ６のＩＤを合わせて記憶するものであってもよい。さらに、使用履歴としては、近距離無線通信を行った時間情報を記憶してもよい。
【００６２】
ＳＴＰ４がリーダ６のＩＤを非接触ＩＣチップＩＤと合わせて記録する場合には、サーバ３は、使用履歴が取られたリーダ６を特定することができる。従って、かかる構成によれば、当該ＬＥＤ付き装着具管理システム１は、同一リーダとの近接無線通信による使用回数の水増しや使用の詐称申告等を効果的に抑制することができる。また、当該ＬＥＤ付き装着具管理システム１は、使用履歴が取られたリーダ６の所有者等に、ＬＥＤ付き装着具５が使用されていたか否かを事後的に確認することができる。加えて、当該ＬＥＤ付き装着具管理システム１は、ＳＴＰ４において、サーバ３が非接触ＩＣチップＩＤを受信した時間情報を記憶するようにすれば、ユーザによる使用回数の水増しや詐称申告をさらに効果的に抑制することができる。
【００６３】
なお、当該ＬＥＤ付き装着具管理システム１は、使用履歴管理手段１７について、一定時間以内に同一のリーダ６から同一の非接触ＩＣチップＩＤを複数回受信した場合、２度目以降の受信については使用履歴としてはカウントしない等に設定してもよい。当該ＬＥＤ付き装着具管理システム１は、このような態様によれば、使用履歴の詐称申告や広告宣伝効果が殆ど見込まれない使用等を使用履歴から効果的に排除することができる。
【００６４】
課金報酬付与ステップ（ＳＴＰ５）は、ＬＥＤ付き装着具５の使用履歴に応じた課金及び／又は報酬付与を行うステップである。ＳＴＰ５は、企業等のＬＥＤ付き装着具５の広告依頼主に対して課金するとともに、この企業等の広告情報を表示するＬＥＤ付き装着具５を使用したユーザに対して、ＬＥＤ付き装着具５の使用履歴に応じた報酬を付与する。ＳＴＰ５は、課金報酬付与手段１７の処理により行われる。まず、課金報酬付与手段１７は、記憶部１３に保存されているＬＥＤ付き装着具５の使用履歴を確認する。次に、課金報酬付与手段１７は、この使用履歴に基づき、ＬＥＤ付き装着具５の広告依頼主に対し、予め決められたレートに応じた課金を行う。さらに、課金報酬付与手段１７は、このＬＥＤ付き装着具５の広告依頼主から徴収した金員を所定の分配レートに応じてＬＥＤ付き装着具５の所有者に分配する。具体的には、課金報酬付与手段１７は、例えば、記憶部１３に保存されている使用履歴が１０回であった場合、この使用履歴に係るＬＥＤ付き装着具５の広告依頼主に対して１００円（１０円／回）の課金処理手続を行う。そして、課金報酬付与手段１７は、ＬＥＤ付き装着具５の配布先ユーザに対して、広告報酬として５０円（５円／回）の分配処理手続を行う。ＳＴＰ５では、このような課金及び／又は報酬付与を、例えば、毎月１回定期的に行う。かかる課金及び／又は報酬付与は、原則として、１単位期間内に１回でも使用履歴があれば行われるが、１単位期間内の使用履歴が所定の回数に達しない場合は報酬を支払わないようにしてもよい。なお、この場合には、課金報酬付与手段１７は、ＬＥＤ付き装着具５の広告依頼主に対し、システム利用料として一定の課金を行ってもよいし、一切課金を行わなくてもよい。
【００６５】
また、課金報酬付与手段１７は、課金及び／又は報酬付与手続を行うとともに、ユーザやＬＥＤ付き装着具５の広告依頼主に対して、１単位期間における課金及び／又は報酬付与金額に関する情報、使用履歴に関する情報等を通知してもよい。
【００６６】
なお、記憶部１３が、ＬＥＤ付き装着具５の非接触ＩＣチップＩＤとともに、近距離無線通信を行ったリーダ６のＩＤや近距離無線通信を行った時間情報、位置情報等を関連付けて保存している場合、課金報酬付与手段１７は、非接触ＩＣチップＩＤの受信回数にリーダ６のＩＤや時間情報、位置情報等を加味したレート又は分配レートに応じた課金処理及び／又は報酬付与処理を行ってもよい。
【００６７】
当該ＬＥＤ付き装着具管理システム１は、ＳＴＰ５により所定の処理が行われると、再度ＳＴＰ４に戻り、ＬＥＤ付き装着具５の使用履歴の管理を行う。当該ＬＥＤ付き装着具管理システム１では、原則として、ＳＴＰ４及びＳＴＰ５が交互に繰り返されることになる。ただし、当該ＬＥＤ付き装着具管理システム１は、ユーザからサーバ３に対して、ＬＥＤ付き装着具５を使用しない旨が通知された場合や、一定期間継続してＬＥＤ付き装着具５の使用履歴が確認されなかった場合等には、ユーザがＬＥＤ付き装着具５を使用する意思がないものと見なして、使用履歴を管理するのを止めるようにしてもよい。また、当該ＬＥＤ付き装着具管理システム１は、ＬＥＤ付き装着具５によって表示される広告情報が期間限定のものである場合等には、その期間経過後の使用については使用履歴としてカウントしないようにしてもよい。
【００６８】
当該ＬＥＤ付き装着具管理システム１は、ＬＥＤ付き装着具５を、所望するユーザからの注文に応じてこのユーザに配布するので、配布を受けたユーザによってＬＥＤ付き装着具５が使用される蓋然性が高い。
【００６９】
また、当該ＬＥＤ付き装着具管理システム１は、配布後のＬＥＤ付き装着具５の使用履歴をサーバ３が記録することにより、ＬＥＤ付き装着具５が実際に使用されているか否かを遠隔地から適切に管理することができる。
【００７０】
本発明におけるＬＥＤ付き装着具５は、複数のＬＥＤ素子の発光により所定の広告情報を表示することができるので、夜間等の暗がりにおいて、特に優れた広告宣伝効果を得ることができる。
【００７１】
当該ＬＥＤ付き装着具管理システム１は、ＬＥＤ付き装着具５とリーダ６の非接触ＩＣチップとの間で行われる近距離無線通信に基づき、ＬＥＤ付き装着具５の使用履歴を容易に管理することができる。従って、当該ＬＥＤ付き装着具管理システム１は、ＬＥＤ付き装着具５の使用履歴の管理容易性を向上させることができる。
【００７２】
当該ＬＥＤ付き装着具管理システム１は、ＬＥＤ付き装着具５に備えられる非接触ＩＣチップと、コンビニ等に設けられるリーダ６とを近接無線通信させることによって、このＬＥＤ付き装着具５の使用履歴を管理することができるので、サーバ３からユーザに対してＬＥＤ付き装着具５の使用履歴を問い合わせる等の煩雑な手続を介することなく、容易かつ確実にＬＥＤ付き装着具５の使用履歴を管理することができる。
【００７３】
当該ＬＥＤ付き装着具管理システム１は、ＬＥＤ付き装着具５が、少なくとも前面又は背面に複数のＬＥＤ素子を備えるベストにより構成されている。従って、ユーザは、ＬＥＤ付き装着具５を容易に着脱することができる。また、ユーザは、ＬＥＤ付き装着具５を、専用のアルコール等により容易に洗浄することができる。
【００７４】
当該ＬＥＤ付き装着具管理システム１は、ＬＥＤ付き装着具５を配布されたユーザに対して、ＬＥＤ付き装着具５の使用履歴に応じた報酬を付与することができる。従って、当該ＬＥＤ付き装着具管理システム１は、ＬＥＤ付き装着具５の使用ユーザに対し、配布されたＬＥＤ付き装着具５を用いて主体的に広告宣伝を行うインセンティブを与えることができる。
【００７５】
当該ＬＥＤ付き装着具管理システム１は、ＬＥＤ付き装着具５の広告依頼主に対し、ＬＥＤ付き装着具５の使用履歴に応じて課金することができる。従って、当該ＬＥＤ付き装着具管理システム１は、広告宣伝効果に対応した適切な課金を行うことができる。
【００７６】
図３のＬＥＤ付き装着具管理システム２１は、ネットワーク２と、通信基地局２２と、サーバ２３と、ユーザ端末４と、ＬＥＤ付き装着具２４と、携帯端末２５と、自転車２６と、広告依頼主端末２７とを有している。ＬＥＤ付き装着具管理システム２１は、実際には、通信基地局２２、ユーザ端末４、ＬＥＤ付き装着具２４、携帯端末２５、自転車２６及び広告依頼主端末２７を多数有している。しかし、図３では、煩雑さ回避のため、ユーザ端末４、ＬＥＤ付き装着具２４、携帯端末２５及び自転車２６は、各３個とし、通信基地局２２及び広告依頼主端末２７は、各１個として図示する。また、ＬＥＤ付き装着具管理システム２１において、図１のＬＥＤ付き装着具管理システム１と同様の構成については、同一番号を付して適宜説明を省略する。
【００７７】
通信基地局２２は、携帯端末２５及びネットワーク２を接続する。携帯端末２５は、通信基地局２２を介してネットワーク２と接続され、ネットワーク２を介してサーバ２３と接続される。
【００７８】
サーバ２３は、通信部１１と、制御部３１と、記憶部１３とを有している。
【００７９】
制御部３１は、登録手段１４と、受注手段１５と、使用履歴管理手段３２と、課金報酬付与手段３３と、表示データ処理手段３４と、抽出手段３６とを有している。
【００８０】
使用履歴管理手段３２は、携帯端末２５との通信により、携帯端末２５が取得した位置情報及びＬＥＤ付き装着具２４に取り付けられた非接触ＩＣチップが有する非接触ＩＣチップＩＤを受信する。使用履歴管理手段３２は、この位置情報と非接触ＩＣチップＩＤとを関連付けて記憶部１３に格納し、ＬＥＤ付き装着具２４の使用履歴を管理する。なお、使用履歴管理手段３２は、位置情報及び非接触ＩＣチップＩＤとともに、非接触ＩＣチップを受信した時間情報も関連付けて記憶部１３に格納してもよい。
【００８１】
課金報酬付与手段３３は、ＬＥＤ付き装着具２４の広告依頼主に対して課金する一方、ユーザに対して使用実績に応じた報酬を付与する。具体的には、課金報酬付与手段３３は、まず、記憶部１３に保存されているＬＥＤ付き装着具２４の使用履歴を確認する。課金報酬付与手段３３は、記憶部１３に保存されている位置情報からＬＥＤ付き装着具２４の移動距離を算出する。続いて、課金報酬付与手段３３は、このＬＥＤ付き装着具２４の非接触ＩＣチップＩＤと関連付けて記憶部１３に保存されているユーザＩＤ及び広告依頼主に固有のＩＤから、報酬付与対象となるユーザ及び課金対象となる広告依頼主を特定する。次に、課金報酬付与手段３３は、広告依頼主に対し、ＬＥＤ付き装着具２４の移動距離に対応して予め決められたレートに応じた課金処理手続を行う。さらに、課金報酬付与手段３３は、ＬＥＤ付き装着具２４の広告依頼主から徴収した金員について、所定の分配レートに応じた分配処理手続をユーザに対して行う。なお、課金報酬付与手段３３は、記憶部１３に、位置情報及び非接触ＩＣチップＩＤとともに時間情報も保存されている場合、時間情報も加味したレート又は分配レートを定めてもよい。
【００８２】
表示データ処理手段３４は、ＬＥＤ付き装着具２４が表示する表示データを作成処理して記憶部１３に格納する。また、表示データ処理手段３４は、表示データを表示させるタイミングを示すタイミングデータを作成処理して記憶部１３に格納する。表示データ処理手段３４は、記憶部１３に格納されている表示データ及びタイミングデータを読み出してＬＥＤ付き装着具２４に発光指示を行う。
【００８３】
表示データ処理手段３４は、表示データを複数に分断した際の各断片を表すデータである個別表示データを作成処理して記憶部１３に格納する。また、表示データ処理手段３４は、各個別表示データを表示させるタイミングを示すタイミングデータを作成処理して記憶部１３に格納する。表示データ処理手段３４は、記憶部１３に格納されている個別表示データ及びタイミングデータを読み出して複数のＬＥＤ付き装着具２４に発光指示を行う。なお、本実施形態における個別表示データは、「Ｃｏｎｔａｃｔ」を表す文字データ、及び「Ｌｅｎｓ」を表す文字データ、並びに「Ｃｏｎｔａｃｔ  Ｌｅｎｓ」を表す文字データにコンタクトレンズの画像データを加えたデータである。
【００８４】
抽出手段３６は、複数の携帯端末２５の位置情報を取得して、互いに近くに存在する複数のＬＥＤ付き装着具２４を抽出する。具体的には、まず、使用履歴管理手段３２が、複数の携帯端末２５から位置情報及びＬＥＤ付き装着具２４の有する非接触ＩＣチップＩＤを受信する。使用履歴管理手段３２は、受信した位置情報及び非接触ＩＣチップＩＤを関連付けて、記憶部１３が有する所定のテーブルに格納する。抽出手段３６は、このテーブルに格納されている位置情報を基に互いに近くに存在する複数の携帯端末２５を特定する。抽出手段３６は、これらの携帯端末２５から受信したＬＥＤ付き装着具２４の非接触ＩＣチップＩＤから、互いに近くに存在する複数のＬＥＤ付き装着具２４を特定し、これらのＬＥＤ付き装着具２４を抽出する。なお、使用履歴管理手段３２は、現在使用されていないＬＥＤ付き装着具２４の非接触ＩＣチップＩＤについては、使用が終了した時点で、この非接触ＩＣチップＩＤと関連付けられている携帯端末２５の位置情報とともにテーブルから削除する。
【００８５】
ＬＥＤ付き装着具２４は、固有のＩＤを具備する非接触ＩＣチップ（図示せず）を有している。ＬＥＤ付き装着具２４は、図４に示すように、ＬＥＤ発光機構として、表示部４１と、通信部４２と、制御部４３と、発光駆動部４４と、記憶部４５とを有している。
【００８６】
表示部４１は、複数のＬＥＤ素子をドットマトリクス配列して構成される。表示部４１は、表示データ処理手段３４からの指示に基づき、一又は複数の文字や、グラフィックを表示することにより、所定の広告情報を表示する。
【００８７】
通信部４２は、サーバ２３から送信される表示データ等を受信する受信部（図示せず）を有している。受信部は、サーバ２３から送信される表示データ、個別表示データ、タイミングデータ等を受信して制御部４３に渡す。
【００８８】
制御部４３は、記憶部４５に保存される動作プログラムや、この動作プログラムの処理に必要となるデータ等に従い、サーバ２３から送信される表示データや個別表示データの表示処理を制御する。
【００８９】
発光駆動部４４は、制御部４３からの指示に基づき表示部４１に配列された所定のＬＥＤ素子を発光駆動する。発光駆動部４４は、サーバ２３から受信した表示データ及び個別表示データに対応する複数のＬＥＤ素子を発光駆動する。
【００９０】
記憶部４５は、制御部４３が実行する動作プログラムや、この動作プログラムの処理に必要となるデータ等を記憶する。記憶部４５は、コードに置き替えられた文字や記号の表示フォントをドットデータで記憶する。記憶部４５は、サーバ２３から受信した表示データや個別表示データ及びタイミングデータを記憶する。
【００９１】
携帯端末２５は、通信基地局２２及びネットワーク２を介してサーバ２３と接続されている。携帯端末２５は、ＬＥＤ付き装着具２４が有する非接触ＩＣチップとの間で近距離無線通信を行うための近距離無線通信部（図示せず）を有している。携帯端末２５は、衛星信号に基づく測位により自己の位置情報を取得することができるＧＰＳ機能を有している。なお、携帯端末２４がユーザ端末４に必要とされる機能を有している場合、ユーザ端末４は省略可能である。
【００９２】
自転車２６は、自転車用照明装置（図示せず）等に電気エネルギーを供給するための発電機、乾電池、蓄電池等の周知の電源を有している。これらの電源は、ケーブル等によってＬＥＤ付き装着具２４のＬＥＤ発光機構と電気的に連結されている。
【００９３】
広告依頼主端末２７は、ネットワーク２を介してサーバ２３と接続されている。広告依頼主端末２７は、通常、汎用のコンピュータや携帯電話等からなり、所定の入力手段、制御手段、通信手段等を有している。
【００９４】
図５を参照して、当該ＬＥＤ付き装着具管理システム２１において行われるＬＥＤ発光手順について説明する。
【００９５】
表示データ作成ステップ（ＳＴＰ１１）は、ＬＥＤ付き装着具２４が表示する表示データを作成処理するステップである。ＳＴＰ１１は、表示データ処理手段３４の処理により行われる。表示データ処理手段３４は、広告依頼主端末２７又はその他の入力装置からの入力及び送信操作に基づいて、所定の表示データ（広告情報）を受信する。表示データ処理手段３４が受信する表示データとしては、例えば、文字データや静止画像データ、動画像データ等を挙げることができる。また、表示データ処理手段３４は、かかる表示データとともに、この表示データを表示するタイミングを示すタイミングデータを受信する。表示データ処理手段３４は、このような表示データ及びタイミングデータを受け取ると、広告依頼主を特定するための識別情報と関連付けて記憶部１３に格納する。この依頼主を特定するための識別情報としては、この依頼主に固有のＩＤ等を挙げることができる。
【００９６】
個別表示データ作成ステップ（ＳＴＰ１２）は、表示データを複数に分割した際の各断片を表すデータである個別表示データを作成処理するステップである。ＳＴＰ１２は、表示データ処理手段３４の処理により行われる。表示データ処理手段３４は、ＳＴＰ１１で受信した表示データを、広告依頼主端末２７又はその他の入力装置からの指示に基づいて複数種の個別表示データに分割する。また、表示データ処理手段３４は、必要に応じて、これらの個別表示データを表示するタイミングを示すタイミングデータを受信する。表示データ処理手段３４は、これらの個別表示データ及びタイミングデータを、広告依頼主を特定するための識別情報と関連付けて記憶部１３に格納する。なお、表示データ処理手段３４は、広告依頼主端末２７又はその他の入力装置から、複数の個別表示データを直接受信してもよい。表示データ処理手段３４が複数の個別表示データを直接受信する場合、ＳＴＰ１１は省略される。
【００９７】
抽出ステップ（ＳＴＰ１３）は、携帯端末２４から受信した位置情報を基に互いに近くに存在する複数のＬＥＤ付き装着具２４を抽出するステップである。ＳＴＰ１３は、主として抽出手段３６の処理により行われる。具体的には、まず、使用履歴管理手段３２が、複数の携帯端末２５から位置情報及びＬＥＤ付き装着具２４の有する非接触ＩＣチップＩＤを受信する。使用履歴管理手段３２は、受信した位置情報及び非接触ＩＣチップＩＤを関連付けて、記憶部１３が有する所定のテーブルに格納する。抽出手段３６は、このテーブルに格納されている位置情報を基に互いに近くに存在する複数の携帯端末２５を特定する。抽出手段３６は、これらの携帯端末２５から受信したＬＥＤ付き装着具２４の非接触ＩＣチップＩＤから、互いに近くに存在する複数のＬＥＤ付き装着具２４を特定し、これらのＬＥＤ付き装着具２４を抽出する。抽出手段３６は、複数の携帯端末２５から受信した位置情報を基に、最も近くに存在している複数のＬＥＤ付き装着具２４を抽出してもよく、広告依頼主端末２７により指定される特定のエリア内に存在する複数の携帯端末２５の中から抽出してもよく、広告依頼主端末２７により指定される特定のＬＥＤ付き装着具２４の中から抽出してもよい。また、抽出手段３６は、現在他の広告情報が表示されていないＬＥＤ付き装着具２４の中から互いに近くに存在する複数のＬＥＤ付き装着具２４を抽出してもよい。ＬＥＤ付き装着具２４の抽出は、ＬＥＤ付き装着具２４が有する非接触ＩＣチップＩＤにより抽出することができる他、ＬＥＤ付き装着具２４に割り当てられたＩＰアドレスにより抽出することもできる。
【００９８】
個別表示データ送信ステップ（ＳＴＰ１４）は、広告情報の一部を構成する複数種の個別表示データを、ＳＴＰ１３によって抽出された複数のＬＥＤ付き装着具２４に対して送信するステップである。ＳＴＰ１４は、表示データ処理手段３４の処理により行われる。まず、表示データ処理手段３４は、ＳＴＰ１３で抽出されたＬＥＤ付き装着具２４毎に表示される個別表示データ及びタイミングデータを抽出及び整理する。続いて、表示データ処理手段３４は、ＬＥＤ付き装着具２４毎に、表示する個別表示データ及びこの個別表示データが表示されるタイミングを時系列で整理して記憶部１３に格納する。表示データ処理手段３４は、これらのデータを対応するＬＥＤ付き装着具２４毎に送信する。また、表示データ処理手段３４は、個別表示データ送信先のユーザＩＤ及び非接触ＩＣチップＩＤを、広告依頼主に固有のＩＤに関連付けて記憶部１３に格納する。
【００９９】
表示ステップ（ＳＴＰ１５）は、複数のＬＥＤ付き装着具２４が、サーバ２３から受信した個別表示データを表示するステップである。ＳＴＰ１５は、複数のＬＥＤ付き装着具２４の処理により行われる。まず、複数のＬＥＤ付き装着具２４は、ＳＴＰ１４によりサーバ２３から送信される個別表示データ、タイミングデータ等を受信し、記憶部４５に格納する。複数のＬＥＤ付き装着具２４は、制御部４３の処理により、記憶部４５が保存するタイミングデータに基づいて個別表示データを読み出す。さらに、複数のＬＥＤ付き装着具２４は、発光駆動部４４の処理により、制御部４３が読み出した個別表示データを所定のＬＥＤ素子に対応させたうえ、これらのＬＥＤ素子を発光駆動する。各ＬＥＤ付き装着具２４は、所定の表示データの一部を構成する個別表示データを表示するので、これらのＬＥＤ付き装着具２４により表示される個別表示データが組み合わされることにより、まとまった一の情報が表示される。
【０１００】
以上は、表示データを複数の個別表示データに分割し、かつこれらの個別表示データを互いに近くに存在する複数のＬＥＤ付き装着具２４によって表示する場合のＬＥＤ発光手順の一例である。続いて、表示データを複数の個別表示データに分割しない場合、及び個別表示データを任意のＬＥＤ付き装着具２４によって表示する場合のＬＥＤ発光手順について説明する。
【０１０１】
表示データ送信ステップ（ＳＴＰ１６）は、ＳＴＰ１１で作成された表示データをＬＥＤ付き装着具２４に送信するステップである。ＳＴＰ１６は、表示データを複数種の個別表示データに分割することなく、ＬＥＤ付き装着具２４に送信する場合に実行されるステップである。ＳＴＰ１６は、表示データ処理手段３４の処理により行われる。表示データ処理手段３４は、ＳＴＰ１１によって記憶部１３に格納された表示データ及びタイミングデータを抽出及び整理する。表示データ処理手段３４は、ＬＥＤ付き装着具２４に表示する表示データ及びこの表示データが表示されるタイミングを時系列で整理して記憶部１３に格納する。これらの表示データが表示されるＬＥＤ付き装着具２４は、広告依頼主毎に予め定められていてもよく、広告依頼主の指示により特定されてもよく、また表示データ処理手段３４により任意に割り当てられてもよい。表示データ処理手段３４は、記憶部１３に格納されたこれらのデータを対応するＬＥＤ付き装着具２４に送信する。また、表示データ処理手段３４は、必要に応じて、表示データ送信先のユーザＩＤ及び非接触ＩＣチップＩＤを、広告依頼主に固有のＩＤに関連付けて記憶部１３に格納する。
【０１０２】
表示ステップ（ＳＴＰ１７）は、所定のＬＥＤ付き装着具２４が、サーバ２３から受信した表示データを表示するステップである。ＳＴＰ１７は、ＬＥＤ付き装着具２４の処理により行われる。まず、ＬＥＤ付き装着具２４は、ＳＴＰ１６によりサーバ２３から送信される表示データ、タイミングデータ等を受信し、記憶部４５に格納する。ＬＥＤ付き装着具２４は、制御部４３の処理により、記憶部４５が保存するタイミングデータに基づいて表示データを読み出す。さらに、ＬＥＤ付き装着具２４は、発光駆動部４４の処理により、制御部４３が読み出した表示データを所定のＬＥＤ素子に対応させたうえ、これらのＬＥＤ素子を発光駆動する。
【０１０３】
個別表示データを任意のＬＥＤ付き装着具２４によって表示する場合のＬＥＤ発光手順について説明する。
【０１０４】
個別表示データ送信ステップ（ＳＴＰ１８）は、ＳＴＰ１２により分割された複数種の個別表示データを複数のＬＥＤ付き装着具２４に送信するステップである。ＳＴＰ１８は、表示データ処理手段３４の処理により行われる。表示データ処理手段３４は、ＳＴＰ１２によって記憶部１３に格納された個別表示データ、及びＳＴＰ１１又はＳＴＰ１２によって記憶部１３に格納されたタイミングデータを抽出及び整理する。表示データ処理手段３４は、複数のＬＥＤ付き装着具２４に表示する表示データ及びこの表示データが表示されるタイミングを時系列で整理して記憶部１３に格納する。これらの個別表示データが表示されるＬＥＤ付き装着具２４は、広告依頼主毎に予め定められていてもよく、依頼主の指示により特定されてもよく、また表示データ処理手段３４により任意に割り当てられてもよい。表示データ処理手段３４は、記憶部１３に格納されたこれらのデータを対応する複数のＬＥＤ付き装着具２４に送信する。また、表示データ処理手段３４は、必要に応じて、個別表示データ送信先のユーザＩＤ及び非接触ＩＣチップＩＤを、広告依頼主に固有のＩＤに関連付けて記憶部１３に格納する。
【０１０５】
なお、本実施形態では、サーバ２３によって作成された表示データ又は個別表示データを直接ＬＥＤ付き装着具２４に送信する構成としたが、サーバ２３によって作成された表示データ又は個別表示データをユーザ端末４に送信するようにしてもよい。かかる構成による場合、ユーザ端末４が受信した表示データ又は個別表示データを、ＵＳＢメモリ等の可搬型記憶媒体を用いてＬＥＤ付き装着具５に入力することによって、ＬＥＤ付き装着具５は、所定の表示データ又は個別表示データを表示することができる。
【０１０６】
続いて、図６を参照して、当該ＬＥＤ付き装着具管理システム２１の動作手順について説明する。
【０１０７】
装着具登録ステップ（ＳＴＰ２１）は、ＬＥＤ付き装着具２４を識別するための情報を登録するステップである。ＳＴＰ２１は、装着具登録手段の処理によって行われる。
【０１０８】
ユーザ登録ステップ（ＳＴＰ２２）は、未登録のユーザを登録するステップである。ＳＴＰ２２は、サーバ２３に登録されていないユーザであって、ＬＥＤ付き装着具２４の発注を希望するユーザによって行われる。ＳＴＰ２２は、ユーザ登録手段の処理によって行われる。
【０１０９】
受注ステップ（ＳＴＰ２３）は、ユーザ端末４から所定のＬＥＤ付き装着具２４の注文を受け付けるステップである。ＳＴＰ２３は、受注手段１５の処理によって行われる。
【０１１０】
ＳＴＰ２１乃至ＳＴＰ２３の動作手順は、原則として、図２のＬＥＤ付き装着具管理システム１におけるＳＴＰ１乃至ＳＴＰ３と同様である。ただし、本実施形態では、ＳＴＰ２１乃至ＳＴＰ２３において、広告依頼主が特定しない場合があるため、この場合、広告依頼主に関する処理は適宜省略される。
【０１１１】
使用履歴管理ステップ（ＳＴＰ２４）は、ＬＥＤ付き装着具２４が有する非接触ＩＣチップ及び携帯端末２５の近距離無線通信に基づいて、携帯端末２５から送られる位置情報と非接触ＩＣチップＩＤとを関連付けてサーバ２３が記録することにより行われる。具体的には、ＳＴＰ２４では、まず、ＬＥＤ付き装着具２４の非接触ＩＣチップと携帯端末２５とを近接させる。携帯端末２５は、所定の通信出力で外部に電磁波を出力する。ＬＥＤ付き装着具２４の非接触ＩＣチップは、携帯端末２５から輻射される電磁波を受信して、ＬＥＤ付き装着具２４に固有の非接触ＩＣチップＩＤを携帯端末２５に送信する。携帯端末２５は、ＬＥＤ付き装着具２４の非接触ＩＣチップから送信される非接触ＩＣチップＩＤを受信する。一方、携帯端末２５は、ＧＰＳによって自己の位置情報を取得する。携帯端末２５は、ＧＰＳによって取得した自己の位置情報と、ＬＥＤ付き装着具２４の非接触ＩＣチップＩＤとをサーバ２３に送信する。サーバ２３は、携帯端末２５からこれらの位置情報及び非接触ＩＣチップＩＤを受け取ると、使用履歴管理手段３２の処理により、かかる位置情報及び非接触ＩＣチップＩＤを関連付けて記憶部１３に格納する。使用履歴管理手段３２は、位置情報及び非接触ＩＣチップＩＤとともに、これらの位置情報及び非接触ＩＣチップＩＤを受信した時間情報を関連付けて記憶部１３に格納してもよい。
【０１１２】
なお、携帯端末２５の位置情報は、ＧＰＳにより取得される他、通信基地局２２から発信される基地局情報から取得されてもよい。
【０１１３】
課金報酬付与ステップ（ＳＴＰ２５）は、ＬＥＤ付き装着具２４の使用履歴に応じた課金及び／又は報酬付与を行うステップである。ＳＴＰ２５は、課金報酬付与手段３３の処理により行われる。まず、課金報酬付与手段３３は、記憶部１３に保存されているＬＥＤ付き装着具２４の使用履歴を確認する。具体的には、課金報酬付与手段３３は、記憶部１３に保存されている位置情報からＬＥＤ付き装着具２４の移動距離を算出する。続いて、課金報酬付与手段３３は、このＬＥＤ付き装着具２４の非接触ＩＣチップＩＤと関連付けて記憶部１３に保存されているユーザＩＤ及び広告依頼主に固有のＩＤから、報酬付与対象となるユーザ及び課金対象となる広告依頼主を特定する。さらに、課金報酬付与手段３３は、ＬＥＤ付き装着具２４の広告依頼主に対し、移動距離に対応して予め決められたレートに応じた課金処理手続を行う。加えて、課金報酬付与手段３３は、このＬＥＤ付き装着具２４の広告依頼主から徴収した金員について、所定の分配レートに応じた分配処理手続をＬＥＤ付き装着具２４の所有者に対して行う。
【０１１４】
課金報酬付与手段３３は、特定のＬＥＤ付き装着具２４に対して複数の広告依頼主が存在する場合、広告依頼主毎の移動距離を算出して課金及び／又は報酬付与を行う。広告依頼主毎の移動距離は、表示データ又は個別表示データの表示時間に関する情報等を参照することにより行うことができる。
【０１１５】
ＳＴＰ２５では、このような課金及び／又は報酬付与を、例えば、毎月１回定期的に行う。かかる課金及び／又は報酬付与は、原則として、１単位期間内に１回でも使用履歴があれば行われるが、１単位期間内の使用履歴が所定の移動距離に達しない場合は報酬を支払わないようにしてもよい。なお、この場合には、課金報酬付与手段３３は、ＬＥＤ付き装着具２４の広告依頼主に対し、システム利用料として一定の課金を行ってもよいし、一切課金を行わなくてもよい。ＳＴＰ２５では、ＬＥＤ付き装着具２４の移動距離とともにＬＥＤ付き装着具２４の使用場所や使用時間を考慮して報酬を決定してもよい。
【０１１６】
また、課金報酬付与手段３３は、課金及び／又は報酬付与手続を行うとともに、ユーザやＬＥＤ付き装着具２４の広告依頼者に対して、１単位期間における課金及び／又は報酬付与金額に関する情報、使用履歴に関する情報等を通知してもよい。
【０１１７】
当該ＬＥＤ付き装着具管理システム２１は、サーバ２３で作成された任意の情報をＬＥＤ付き装着具２４の表示部に表示させることができる。従って、当該ＬＥＤ付き装着具管理システム２１は、遠隔地から表示データを自由に決定、変更等することにより、期間、地域等に応じた情報を表示することができる。当該ＬＥＤ付き装着具管理システム２１によれば、情報に応じた複数のＬＥＤ付き装着具２４を用意することが不要となり、ＬＥＤ付き装着具２４の管理容易性を格段に高めることができる。
【０１１８】
当該ＬＥＤ付き装着具管理システム２１は、ＬＥＤ付き装着具２４がそれぞれ表示する情報を組み合わせて、まとまった一の情報が表示されるよう構成することにより、情報閲覧者側における探索意欲を向上させることができる。
【０１１９】
当該ＬＥＤ付き装着具管理システム２１は、抽出手段３６の処理によって抽出された複数のＬＥＤ付き装着具２４に対して複数種の個別表示データをそれぞれ送信することにより、情報閲覧者側の探索意欲をさらに向上させることができる。また、当該ＬＥＤ付き装着具管理システム２１は、複数種の個別表示データを表示するＬＥＤ付き装着具２４の装着ユーザが並んで移動する等により、情報の注目度を格段に向上させることができる。さらに、当該ＬＥＤ付き装着具管理システム２１は、ＬＥＤ付き装着具２４を装着するユーザに対しても、ＬＥＤ付き装着具２４を装着するインセンティブを向上させることができる。
【０１２０】
当該ＬＥＤ付き装着具管理システム２１は、例えば、複数のＬＥＤ付き装着具２４によって表示される情報のうちのひとつのみを「当たり」とするなど、娯楽性を付加することができる。その結果、当該ＬＥＤ付き装着具管理システム２１は、情報閲覧者側における探索意欲をさらに向上させることができる。なお、どのＬＥＤ付き装着具２４が表示する広告情報を当たりとするかについては、サーバ２３が、記憶部１３の所定のテーブルに格納されている非接触ＩＣチップＩＤから任意に選択すればよい。また、当たりと当たり以外との区別については、表示部４１に表示される広告情報の色を変える等により行うことができる。
【０１２１】
当該ＬＥＤ付き装着具管理システム２１は、ＬＥＤ付き装着具２４の使用場所や移動距離等を加味した使用履歴を管理することができる。その結果、当該ＬＥＤ付き装着具管理システム２１は、ユーザによるＬＥＤ付き装着具２４の使用状況を適切に管理することができる。
【０１２２】
当該ＬＥＤ付き装着具管理システム２１は、携帯端末２５を介してＬＥＤ付き装着具２４の使用履歴を容易に管理することができる。従って、当該ＬＥＤ付き装着具管理システム２１は、ＬＥＤ付き装着具２４の使用履歴の管理容易性をさらに向上させることができる。
【０１２３】
当該ＬＥＤ付き装着具管理システム２１は、ＬＥＤ付き装着具２４の使用を欲するユーザに対してＬＥＤ付き装着具２４を配布するものであるので、ＬＥＤ付き装着具２４を自転車の無灯火対策用装置として用いることにより、夜間の自転車事故を効果的に低減させることができる。
【０１２４】
当該ＬＥＤ付き装着具管理システム２１は、自転車２６の電源をＬＥＤ付き装着具２４の発光電源として使用することにより、ＬＥＤ付き装着具２４に固有の電源を省略することができる。当該ＬＥＤ付き装着具管理システム２１は、自転車２６が有する電源を自転車用照明装置に用いる代りにＬＥＤ付き装着具２４に使用すればよいので、ＬＥＤ付き装着具２４の電源を効率的に獲得することができるとともに、消費電力を節約することができる。当該ＬＥＤ付き装着具管理システム２１は、ＬＥＤ付き装着具２４が固有の電源を有しなくてもよいので、ＬＥＤ付き装着具２４の軽量化、低コスト化等を実現することができる。
【０１２５】
図７のＬＥＤ付き装着具管理システム５１は、ネットワーク２と、通信基地局２２と、サーバ５２と、ユーザ端末５３と、ＬＥＤ付き装着具５４と、広告依頼主端末２７とを有している。ＬＥＤ付き装着具管理システム５１は、実際には、通信基地局２２、ユーザ端末５３、ＬＥＤ付き装着具５４及び広告依頼主端末２７を多数有している。しかし、図７では、煩雑さ回避のため、ユーザ端末５３及びＬＥＤ付き装着具５４は、各３個とし、通信基地局２２及び広告依頼主端末２７は、各１個として図示する。ＬＥＤ付き装着具５１において、図１のＬＥＤ付き装着具管理システム１、図３のＬＥＤ付き装着具管理システム２１と同様の構成については、同一番号を付して適宜説明を省略する。
【０１２６】
サーバ５２は、通信部１１と、制御部６１と、記憶部１３とを有している。
【０１２７】
制御部６１は、登録手段１４と、受注手段１５と、使用履歴管理手段６２と、課金報酬付与手段６３と、表示データ処理手段３４と、抽出手段３６とを有している。
【０１２８】
使用履歴管理手段６２は、ユーザ端末５３との通信により、ユーザ端末５３から送られるＬＥＤ付き装着具５４に固有のＩＤと、ＬＥＤ付き装着具５４の発光開始時及び発光終了時に関する情報とを受信する。また、使用履歴管理手段５４は、ユーザ端末５３から送られるユーザ端末５３の位置情報を受信する。使用履歴管理手段６２は、かかるユーザ端末５３の位置情報を、ＬＥＤ付き装着具５４に固有のＩＤ、並びにＬＥＤ付き装着具５４の発光開始時及び発光終了時に関する情報と関連付けて記憶部１３に格納し、ＬＥＤ付き装着具５４の使用履歴を管理する。
【０１２９】
課金報酬付与手段６３は、ＬＥＤ付き装着具５４の広告依頼主に対して課金する一方、ユーザに対して使用実績に応じた報酬を付与する。具体的には、課金報酬付与手段６３は、まず、記憶部１３に保存されているＬＥＤ付き装着具５４の使用履歴を確認する。課金報酬付与手段６３は、記憶部１３に保存されているＬＥＤ付き装着具５４の発光開始時及び発光終了時に関する情報からＬＥＤ付き装着具５４の発光時間を算出する。続いて、課金報酬付与手段６３は、このＬＥＤ付き装着具５４に固有のＩＤと関連付けて記憶部１３に保存されているユーザＩＤ及び広告依頼主に固有のＩＤから、報酬付与対象となるユーザ及び課金対象となる広告依頼主を特定する。次に、課金報酬付与手段６３は、ＬＥＤ付き装着具５４の広告依頼主に対し、ＬＥＤ付き装着具５４のＬＥＤ発光時間に対応して予め決められたレートに応じた課金処理手続を行う。さらに、課金報酬付与手段６３は、ＬＥＤ付き装着具５４の広告依頼主から徴収した金員について、所定の分配レートに応じた分配処理手続をユーザに対して行う。なお、課金報酬付与手段６３は、ＬＥＤ発光時間に加え、移動距離等を加味したレート又は分配レートを定めてもよい。
【０１３０】
ユーザ端末５３は、通信基地局２２及びネットワーク２を介した通信機能を有する携帯端末である。ユーザ端末５３は、通信基地局２２及びネットワーク２を介してサーバ５２とネットワーク通信をするための通信部と、ユーザ登録時やＬＥＤ付き装着具５４発注時等に必要な事項を入力するための入力部と、サーバ５２により配信される情報等を閲覧することのできる表示部等を有している（いずれも図示せず）。また、ユーザ端末５３は、衛星信号に基づく測位により自己の位置情報を取得することができるＧＰＳ機能を有している。ユーザ端末５３は、ＬＥＤ付き装着具５４から少なくとも発光開始時及び発光終了時に送信されるＬＥＤ付き装着具５４に固有のＩＤを受信し、このＩＤをサーバ５２に送信する。さらに、ユーザ端末５３は、ＧＰＳによって取得した自己の位置情報をサーバ５２に送信する。
【０１３１】
ユーザ端末５３は、ＬＥＤ付き装着具５４を発光させるための電力供給手段を有している。具体的には、ユーザ端末５３は、自己の動作を行ううえで必要となる電池等の固有の電源を有している。ユーザ端末５３は、この電源とＬＥＤ付き装着具５４のＬＥＤ発光機構とを所定のケーブル等によって接続することにより、ＬＥＤ付き装着具５４に電力を供給する。
【０１３２】
ＬＥＤ付き装着具５４は、ＬＥＤ付き装着具５４を識別するための情報として固有のＩＤを有している。かかるＩＤとしては、例えば、ＬＥＤ付き装着具５４毎に割り当てられたＩＰアドレス等を挙げることができる。ＬＥＤ付き装着具５４は、図９に示すように、ＬＥＤ発光機構として、表示部４１と、通信部４２と、制御部６４と、発光駆動部４４と、記憶部４５とを有している。
【０１３３】
制御部６４は、記憶部４５に保存される動作プログラムや、この動作プログラムの処理に必要となるデータ等に従い、サーバ５２から送信される表示データや個別表示データの表示処理を制御する。制御部６４は、発光感知処理手段６５を有している。
【０１３４】
発光感知処理手段６５は、ＬＥＤ付き装着具５４の発光状況を感知して、少なくともＬＥＤ発光開始時及び発光終了時に関する使用履歴を生成する。具体的には、発光感知処理手段６５は、発光駆動部４４から発光駆動した旨の信号を受け取ると、ユーザ端末５３に対してＬＥＤ付き装着具５４に固有のＩＤを送信する。また、発光感知処理手段６５は、発光駆動部４４から発光駆動を終了した旨の通知を受け取ると、ユーザ端末５３に対してＬＥＤ付き装着具５４に固有のＩＤを送信する。
【０１３５】
図９を参照して、当該ＬＥＤ付き装着部管理システム５１の動作手順を説明する。
【０１３６】
装着具登録ステップ（ＳＴＰ３１）は、ＬＥＤ付き装着具５４を識別するための情報を登録するステップである。ＳＴＰ３１は、装着具登録手段の処理により行われる。
【０１３７】
ユーザ登録ステップ（ＳＴＰ３２）は、未登録のユーザを登録するステップである。ＳＴＰ３２は、サーバ５２に登録されていないユーザであって、ＬＥＤ付き装着具５４の発注を希望するユーザによって行われる。ＳＴＰ３２は、ユーザ登録手段の処理により行われる。
【０１３８】
受注ステップ（ＳＴＰ３３）は、ユーザ端末５３から所定のＬＥＤ付き装着具５４の注文を受け付けるステップである。ＳＴＰ３３は、受注手段１５の処理により行われる。
【０１３９】
ＳＴＰ３１乃至ＳＴＰ３３の動作手順は、原則として、図６のＬＥＤ付き装着具管理システム２１におけるＳＴＰ２１乃至ＳＴＰ２３と同様である。
【０１４０】
使用履歴管理ステップ（ＳＴＰ３４）は、ユーザ端末５３から送られるユーザ端末５３の位置情報を、ＬＥＤ付き装着具５４に固有のＩＤ並びにＬＥＤ付き装着具５４の発光開始時間及び発光終了時間に関する情報と関連付けてサーバ５２が記憶することにより行われる。具体的には、ＳＴＰ３４では、まず、ユーザ端末５３とＬＥＤ付き装着具５４とが有線又は無線通信により接続される。ＬＥＤ付き装着具５４は、サーバ５２の表示データ処理手段３４を介して発光指示が与えられると、この指示に従って表示部４１が有する複数のＬＥＤ素子を発光させる。ＬＥＤ付き装着具５４は、制御部６４の指示に従い、発光駆動部４４が所定のＬＥＤ素子を発光駆動することによって発光する。一方、発光駆動部４４は、制御部６４の指示によって所定のＬＥＤ素子を発光駆動するとともに、発光感知処理手段６５に対して、ＬＥＤ素子を発光駆動した旨を通知する。発光感知処理手段６５は、発光駆動部４４からかかる通知を受け取ると、ＬＥＤ付き装着具５４を発光させた旨をユーザ端末５３に通知する。発光感知処理手段６５は、ユーザ端末５３にＬＥＤ付き装着具５４に固有のＩＤを送信することにより、ＬＥＤ付き装着具５４を発光させた旨を通知する。ユーザ端末５３は、ＬＥＤ付き装着具５４に固有のＩＤを受信する。また、ユーザ端末５３は、ＧＰＳによって自己の位置情報を取得する。ユーザ端末５３は、ＧＰＳによって取得した自己の位置情報、及びＬＥＤ付き装着具５４から受信したＩＤ、並びにこのＩＤを受信した時間情報をサーバ５２に送信する。サーバ５２は、ユーザ端末５３からこれらの情報を受け取ると、使用履歴管理手段６２の処理により、かかる位置情報、ＬＥＤ付き装着具５４に固有のＩＤ、及び時間情報を関連付けて記憶部１３に格納する。
【０１４１】
さらに、発光駆動部４４は、ＬＥＤ素子の発光駆動を終了すると、ＬＥＤ素子の発光駆動を終了した旨を発光感知処理手段６５に通知する。発光感知処理手段６５は、発光駆動部４４からかかる通知を受けると、ＬＥＤ付き装着具５４の発光を終了した旨をユーザ端末５３に通知する。発光感知処理手段６５は、ユーザ端末５３にＬＥＤ付き装着具５４に固有のＩＤを送信することにより、ＬＥＤ付き装着具５４の発光を終了した旨を通知する。ユーザ端末５３は、ＬＥＤ付き装着具５４に固有のＩＤを受信する。また、ユーザ端末５３は、ＧＰＳによって自己の位置情報を取得する。ユーザ端末５３は、ＧＰＳによって取得した自己の位置情報、及びＬＥＤ付き装着具５４から受信したＩＤ、並びにこのＩＤを受信した時間情報をサーバ５２に送信する。サーバ５２は、ユーザ端末５３からこれらの情報を受け取ると、使用履歴管理手段６２の処理により、かかる位置情報、ＬＥＤ付き装着具５４に固有のＩＤ、及び時間情報を関連付けて記憶部１３に格納する。
【０１４２】
ＳＴＰ３４では、以上の処理を行うことにより、少なくともＬＥＤ付き装着具５４の発光開始時及び発光終了時、並びに発光開始時から発光終了時までの移動距離に関する情報をＬＥＤ付き装着具５４の使用履歴に関する情報として管理する。
【０１４３】
なお、ＳＴＰ３４では、ＬＥＤ付き装着具５４の発光中、ＬＥＤ付き装着具５４に固有のＩＤ等を継続的にユーザ端末５３からサーバ５２に送信することによりＬＥＤ付き装着具５４の使用履歴を管理してもよい。また、ＳＴＰ３４では、ＬＥＤ付き装着具５４の発光時と非発光時とで異なる信号をユーザ端末５３からサーバ５２に送信することにより、ＬＥＤ付き装着具５４の非発光時における使用履歴も管理するようにしてもよい。さらに、ユーザ端末５３の位置情報は、ＧＰＳにより取得される他、通信基地局２２から発信される基地局情報から取得されてもよい。なお、ＳＴＰ３５で移動距離を考慮した課金及び／又は報酬付与を行う場合、ＳＴＰ３４では、ユーザ端末５３が取得する位置情報を継続的又は定期的にサーバ５２に送信するのが好ましい。
【０１４４】
課金報酬付与ステップ（ＳＴＰ３５）は、ＬＥＤ付き装着具５４の使用履歴に応じた課金及び／又は報酬付与を行うステップである。ＳＴＰ３５は、課金報酬付与手段６３の処理により行われる。まず、課金報酬付与手段６３は、記憶部１３に保存されているＬＥＤ付き装着具５４の使用履歴を確認する。具体的には、課金報酬付与手段６３は、記憶部１３に保存されているＬＥＤ付き装着具５４の発光開始時及び発光終了時に関する情報からＬＥＤ付き装着具５４の発光時間を算出する。続いて、課金報酬付与手段６３は、このＬＥＤ付き装着具５４に固有のＩＤと関連付けて記憶部１３に保存されているユーザＩＤ及び広告依頼主に固有のＩＤから、報酬付与対象となるユーザ及び課金対象となる広告依頼主を特定する。さらに、課金報酬付与手段６３は、ＬＥＤ付き装着具５４の広告依頼主に対し、発光時間に対応して予め決められたレートに応じた課金処手続を行う。加えて、課金報酬付与手段６３は、このＬＥＤ付き装着具５４の広告依頼主から徴収した金員について、所定の分配レートに応じた分配処理手続をＬＥＤ付き装着具５４の所有者に対して行う。課金報酬付与手段６３は、特定のＬＥＤ付き装着具５４に対して複数の広告依頼主が存在する場合、広告依頼主毎の発光時間を算出して課金及び／又は報酬付与を行う。
【０１４５】
ＳＴＰ３５では、このような課金及び／又は報酬付与を、例えば、毎月１回定期的に行う。かかる課金及び／又は報酬付与は、原則として、１単位期間内に１回でも使用履歴があれば行われるが、１単位期間内の使用履歴が所定の発光時間に達しない場合は報酬を支払わないようにしてもよい。なお、この場合には、課金報酬付与手段６３は、ＬＥＤ付き装着具５４の広告依頼主に対し、システム利用料として一定の課金を行ってもよいし、一切課金を行わなくてもよい。また、ＳＴＰ３５では、ＬＥＤ付き装着具５４の発光時間とともに、移動距離、使用場所等を考慮して報酬を決定してもよい。
【０１４６】
また、課金報酬付与手段６３は、課金及び／又は報酬付与手続を行うとともに、ユーザやＬＥＤ付き装着具５４の発光依頼者に対して、１単位期間における課金及び／又は報酬付与金額に関する情報、使用履歴に関する情報等を通知してもよい。
【０１４７】
当該ＬＥＤ付き装着具管理システム５１は、ＬＥＤ付き装着具５４の発光時間に基づいた使用履歴を管理することができる。その結果、当該ＬＥＤ付き装着具管理システム５１は、強い広告宣伝効果が得られた時間の履歴を管理することができる。
【０１４８】
当該ＬＥＤ付き装着具管理システム５１は、使用場所や移動距離の相違及び発光の有無という要素を考慮した使用履歴を得ることができる。その結果、当該ＬＥＤ付き装着具管理システム５１は、ＬＥＤ付き装着具５４の使用履歴を広告宣伝効果に応じて適切に管理することができる。
【０１４９】
当該ＬＥＤ付き装着具管理システム５１は、ユーザ端末５３がＬＥＤ付き装着具５４を発光させるための電力供給手段を有しているので、ＬＥＤ付き装着具５４のために特別の電源を設けることが不要となり、ひいてはＬＥＤ付き装着具５４の軽量化、低コスト化等を実現することができる。
【０１５０】
図１０のＬＥＤ付き装着具管理システム７１は、ネットワーク２と、サーバ７２と、ユーザ端末４と、ＬＥＤ付き装着具７３と、リーダ７４とを有している。ＬＥＤ付き装着具管理システム７１は、実際には、ユーザ端末４、ＬＥＤ付き装着具７３及びリーダ７４を多数有している。しかし、図１０では、煩雑さ回避のため、ユーザ端末４、ＬＥＤ付き装着具７３及びリーダ７４は、各１個として図示する。また、ＬＥＤ付き装着具管理システム７１において、他の実施形態に係るＬＥＤ付き装着具管理システム１、２１、５１と同様の構成については、同一番号を付して説明を省略する。
【０１５１】
サーバ７２は、通信部１１と、制御部８１と、記憶部１３とを有している。
【０１５２】
制御部８１は、登録手段１４と、受注手段１５と、使用履歴管理手段８２と、課金報酬付与手段８３とを有している。
【０１５３】
使用履歴管理手段８２は、リーダ７４との通信によって、ＬＥＤ付き装着具７３に固有のＩＤ、及びＬＥＤ付き装着具７３の歩数計装置８４により計測され、歩数計装置８４の記憶部に保存されている歩数データを受信する。使用履歴管理手段８２は、ＬＥＤ付き装着具７３に固有のＩＤと歩数データとを使用履歴情報として関連付けて記憶部１３に格納し、ＬＥＤ付き装着具７３の使用履歴を管理する。
【０１５４】
課金報酬付与手段８３は、ＬＥＤ付き装着具７３の広告依頼主に対して課金する一方、ユーザに対して使用実績に応じた報酬を与える。具体的には、課金報酬付与手段８３は、まず、記憶部１３に保存されているＬＥＤ付き装着具７３の使用履歴を確認する。次に、課金報酬付与手段８３は、ＬＥＤ付き装着具７３の広告依頼主に対し、歩数に対応して予め定められたレートに応じた課金処理手続を行う。さらに、課金報酬付与手段８３は、ＬＥＤ付き装着具７３の広告依頼主から徴収した金員について、所定の分配レートに応じた分配処理手続をユーザに対して行う。
【０１５５】
ＬＥＤ付き装着具７３は、ＬＥＤ付き装着具７３を識別するための固有のＩＤを有している。また、ＬＥＤ付き装着具７３は、歩数計測装置８４と、発電装置（図示せず）とを有している。ＬＥＤ付き装着具７３が有する固有のＩＤとしては、後述する歩数計測装置８４が有する非接触ＩＣチップＩＤ等を挙げることができる。発電装置は、人力を用いた発電装置や自然エネルギーを用いた発電装置等、種々の発電装置を用いることができる。自然エネルギーとしては、例えば、太陽エネルギー等を挙げることができる。
【０１５６】
歩数計測装置８４は、制御部、歩数検出部、計時部、記憶部、表示部、電源等、通常の歩数計測装置が有する構成を具備している（いずれも図示せず）。さらに、歩数計測装置８４は、これらの構成に加え、固有のＩＤを具備する非接触ＩＣチップ及びこの非接触ＩＣチップの通信のために用いる近距離無線通信部を有している（いずれも図示せず）。
【０１５７】
リーダ７４は、直接又は間接にネットワーク２を介してサーバ７２とネットワーク通信をするための通信部と、歩数計測装置８４が有する非接触ＩＣチップとの間で近距離無線通信を行うための近距離無線通信部とを有している（いずれも図示せず）。リーダ７４は、歩数計測装置８４が有する非接触ＩＣチップとの近接無線通信によって、歩数計測装置８４によって計測された歩数データを受信する。また、リーダ７４は、受信した歩数データをサーバ７２に送信する。リーダ７４は、ネットワーク２を介して直接サーバ７２と接続されてもよく、またホストコンピュータ（図示せず）等を経由してネットワーク２を介してサーバ７２と接続されてもよい。リーダ７４は、コンビニ等の所定の場所に備えられる他、ユーザ端末４に接続されて備えられてもよい。リーダ７４は、所定のライタ機能を有するリーダライタであってもよい。
【０１５８】
図１１を参照して、当該ＬＥＤ付き装着具管理システム７１の動作手順を説明する。
【０１５９】
装着具登録ステップ（ＳＴＰ４１）は、ＬＥＤ付き装着具７３を識別するための情報を登録するステップである。ＳＴＰ４１は、装着具登録手段の処理により行われる。
【０１６０】
ユーザ登録ステップ（ＳＴＰ４２）は、未登録のユーザを登録するステップである。ＳＴＰ４２は、サーバ７２に登録されていないユーザであって、ＬＥＤ付き装着具７３の発注を希望するユーザによって行われる。ＳＴＰ４２は、ユーザ登録手段の処理により行われる。
【０１６１】
受注ステップ（ＳＴＰ４３）は、ユーザ端末４から所定のＬＥＤ付き装着具７３の注文を受け付けるステップである。ＳＴＰ４３は、受注手段１５の処理により行われる。
【０１６２】
ＳＴＰ４１乃至ＳＴＰ４３の動作手順は、原則として、図６のＬＥＤ付き装着具管理システム２１におけるＳＴＰ２１乃至ＳＴＰ２３と同様である。
【０１６３】
使用履歴管理ステップ（ＳＴＰ４４）は、サーバ７２がリーダ７４から送られる歩数データ及び歩数計測装置８４の非接触ＩＣチップＩＤを関連付けて記憶することにより行われる。具体的には、ＳＴＰ４４では、まず、歩数計測装置８４の非接触ＩＣチップとリーダ７４とを近接させる。次に、歩数計測装置８４の非接触ＩＣチップは、リーダ７４から輻射される電磁波を受信し、歩数計測装置８４の非接触ＩＣチップＩＤ及び歩数計測装置８４の記憶部が記憶する歩数データをリーダ７４に送信する。歩数計測装置８４の非接触ＩＣチップとリーダ７４との近接無線通信は、リーダ７４が所定のスイッチを有する場合はこのスイッチが入れられることにより行われてもよく、またスイッチのオンオフとは無関係に行われてもよい。リーダ７４は、この近距離無線通信に基づき非接触ＩＣチップＩＤ及び歩数データを受信すると、この非接触ＩＣチップＩＤ及び歩数データをサーバ７２に送信する。サーバ７２は、リーダ７４からこの非接触ＩＣチップＩＤ及び歩数データを受け取ると、使用履歴管理手段８２の処理により、この非接触ＩＣチップＩＤ及び歩数データを関連付けて記憶部１３に格納する。なお、使用履歴管理手段８２は、ＬＥＤ付き装着具７３の使用履歴として、非接触ＩＣチップＩＤ及び歩数データとともに、近距離無線通信を行ったリーダ７４の識別情報、近距離無線通信を行った時間情報、位置情報等を関連付けて記憶部１３に格納してもよい。
【０１６４】
ＳＴＰ４４において、歩数計測装置８４の非接触ＩＣチップとリーダ７４との近接無線通信により送信される歩数データは、原則として、前回の近接無線通信以降にカウントされた歩数に関するデータである。このような歩数データは、近接無線通信毎に歩数データが手動又は自動でリセットされることにより得られてもよく、前回の近接無線通信に基づいて得られた歩数データや受信日時に関するデータ等から算出されてもよい。かかる受信日時に関するデータは、歩数計測装置８４の非接触ＩＣチップとリーダ７４との近接無線通信に基づき歩数計測装置８４から送信されてもよいし、リーダ７４が日時に関するデータを有している場合はリーダ７４から送信されてもよいし、サーバ７２の機能により取得されてもよい。
【０１６５】
課金報酬付与ステップ（ＳＴＰ４５）は、ＬＥＤ付き装着具７３の使用履歴に応じた課金及び／又は報酬付与を行うステップである。ＳＴＰ４５は、課金報酬付与手段８３の処理により行われる。まず、課金報酬付与手段８３は、記憶部１３に保存されているＬＥＤ付き装着具７３の使用履歴を確認する。具体的には、課金報酬付与手段８３は、記憶部１３に保存されているＬＥＤ付き装着具７３の歩数データからＬＥＤ付き装着具７３を装着して歩いた歩数を算出する。続いて、課金報酬付与手段８３は、このＬＥＤ付き装着具７３の非接触ＩＣチップＩＤと関連付けて記憶部１３に保存されているユーザＩＤ及び広告依頼主に固有のＩＤから、報酬付与対象となるユーザ及び課金対象となる広告依頼主を特定する。さらに、続課金報酬付与手段８３は、ＬＥＤ付き装着具７３の広告依頼主に対し、歩数に対応して予め決められたレートに応じた課金処理手続を行う。さらに、課金報酬付与手段８３は、ＬＥＤ付き装着具７３の広告依頼主から徴収した金員について、所定の分配レートに応じた分配処理手続をＬＥＤ付き装着具７３の所有者に対して行う。
【０１６６】
ＳＴＰ４５では、このような課金及び／又は報酬付与を、例えば、毎月１回定期的に行う。かかる課金及び／又は報酬付与は、原則として、１単位期間内に１歩でも歩数データが使用履歴として記録されていれば行われるが、１単位期間内の使用履歴が所定の歩数に達しない場合は報酬を支払わないようにしてもよい。なお、この場合には、課金報酬付与手段８３は、ＬＥＤ付き装着具７３の広告依頼主に対し、システム利用料として一定の課金を行ってもよいし、一切課金を行わなくてもよい。
【０１６７】
なお、記憶部１３が、ＬＥＤ付き装着具７３の歩数データとともに、近距離無線通信を行ったリーダ７４のＩＤや近距離無線通信を行った時間情報、位置情報等を関連付けて保存している場合、課金報酬付与手段８３は、ＬＥＤ付き装着具７３の歩数に、リーダ７４のＩＤや時間情報、位置情報等を加味したレート又は分配レートに応じた課金処理及び／又は報酬付与処理を行ってもよい。
【０１６８】
また、課金報酬付与手段８３は、課金及び／又は報酬付与手続を行うとともに、ユーザやＬＥＤ付き装着具７３の広告依頼主に対して、１単位期間における課金及び／又は報酬付与金額に関する情報、使用履歴に関する情報等を通知してもよい。
【０１６９】
当該ＬＥＤ付き装着具管理システム７１は、ユーザがＬＥＤ付き装着具７３を装着して歩いた歩数に基づいた使用履歴を管理することができる。従って、当該ＬＥＤ付き装着具管理システム７１は、ＬＥＤ付き装着具７３の使用履歴を、ＬＥＤ付き装着具７３の使用により得られた広告宣伝効果と結びつけて適切に管理を行うことができる。
【０１７０】
当該ＬＥＤ付き装着具管理システム７１は、ＬＥＤ付き装着具７３がＬＥＤ発光電源としての発電装置を有している。それ故、当該ＬＥＤ付き装着具管理システム７１は、例えば、太陽エネルギー等によって発電する発電装置を用いるようにすれば、日中はＬＥＤを発光させない一方、太陽光等を利用して発電を行い、これにより得られた電力を用いて夜間にＬＥＤを発光させることができる。従って、当該ＬＥＤ付き装着具管理システム７１は、ユーザに対して、夜間のみならず日中においてもＬＥＤ付き装着具７３を使用するインセンティブを向上させることができ、その結果、広告宣伝効果を著しく向上させることができる。また、当該ＬＥＤ付き装着具管理システム７１によれば、ユーザ側においてＬＥＤ付き装着具７３を発光させるための電池等を用意することが不要となるので、ユーザ側にかかるコストを削減することができ、ＬＥＤ付き装着具７３の装着率を高めることができる。
【０１７１】
なお、本発明のＬＥＤ付き装着具管理システム及び管理方法並びにＬＥＤ付き装着具は、上記態様の他、種々の変更、改良を施した態様で実施することができる。
【０１７２】
例えば、上記各実施形態に係るＬＥＤ付き管理システム及び管理方法が有する構成は、他の実施形態と重複して用いられてもよい。これにより、ＬＥＤ付き装着具の管理をさらに適切に行うことができる。ＬＥＤ付き装着具は、必ずしもベストである必要はなく、例えば、自転車に取り付けるステッカー等であってもよい。また、ＬＥＤ付き装着具は無償で配布されてもよく、有償で配布されてもよい。当該ＬＥＤ付き装着具管理システムは、課金報酬付与手段を有していなくてもよく、また課金手段又は報酬付与手段のいずれか一方のみを有していてもよい。課金報酬付与手段として支払われる報酬は、必ずしも金員である必要はなく、例えば、一定のポイントであってもよい。課金報酬付与手段として支払われる報酬がポイントである場合、一定のポイントを取得したユーザに対して新たなＬＥＤ付き装着具を配布するようにしてもよい。当該ＬＥＤ付き装着具管理システムは、所定の使用量に達しないユーザからＬＥＤ付き装着具の使用料を徴収するようにしてもよい。当該ＬＥＤ付き装着具管理システムは、例えば、ＬＥＤ付き装着具の所有者から所定の間隔で使用実績をサーバに対して報告させることによって使用履歴を管理するようにしてもよい。
【０１７３】
当該ＬＥＤ付き装着具は、サーバから送られる表示データ又は個別表示データを記憶部に格納することなく、直接表示部に表示してもよい。ＬＥＤ付き装着具に表示される情報は、必ずしも広告情報である必要はなく、例えば、任意の画像等であってもよい。
【産業上の利用可能性】
【０１７４】
以上のように、本発明のＬＥＤ付き装着具管理システム及び管理方法は、夜間等の暗がりであっても優れた情報発信効果が得られるＬＥＤ付き装着具を配布し、かつかかるＬＥＤ付き装着具の使用状況を適切に管理するのに適している。また、本発明のＬＥＤ付き装着具は、夜間等の暗がりにおいて優れた情報発信効果を挙げることができる情報発信源として使用するのに適している。
【符号の説明】
【０１７５】
１    ＬＥＤ付き装着具管理システム
２    ネットワーク
３    サーバ
４    ユーザ端末
５    ＬＥＤ付き装着具
６    リーダ
１１  通信部
１２  制御部
１３  記憶部
１４  登録手段
１５  受注手段
１６  使用履歴管理手段
１７  課金報酬付与手段
２１  ＬＥＤ付き装着具管理システム
２２  通信基地局
２３  サーバ
２４  ＬＥＤ付き装着具
２５  携帯端末
２６  自転車
２７  広告依頼主端末
３１  制御部
３２  使用履歴管理手段
３３  課金報酬付与手段
３４  表示データ処理手段
３６  抽出手段
４１  表示部
４２  通信部
４３  制御部
４４  発光駆動部
４５  記憶部
５１  ＬＥＤ付き装着具管理システム
５２  サーバ
５３  ユーザ端末
５４  ＬＥＤ付き装着具
６１  制御部
６２  使用履歴管理手段
６３  課金報酬付与手段
６４  制御部
６５  発光感知処理手段
７１  ＬＥＤ付き装着具管理システム
７２  サーバ
７３  ＬＥＤ付き装着具
７４  リーダ
８１  制御部
８２  使用履歴管理手段
８３  課金報酬付与手段
８４  歩数計測装置
【図１】
0005547604.tif 000002
【図２】
0005547604.tif 000003
【図３】
0005547604.tif 000004
【図４】
0005547604.tif 000005
【図５】
0005547604.tif 000006
【図６】
0005547604.tif 000007
【図７】
0005547604.tif 000008
【図８】
0005547604.tif 000009
【図９】
0005547604.tif 000010
【図１０】
0005547604.tif 000011
【図１１】
0005547604.tif 000012